(57)【要約】【課題】多くの手間をかけることなく、多種多様なコンテンツを取得することが可能な映像表示装置を提供する。【解決手段】通信端末装置がネットワークから取得したコンテンツである端末取得コンテンツを通信端末装置から受信し、受信した端末取得コンテンツが解析され、解析結果に基づいて、ネットワークから、コンテンツを取得する。【選択図】図１７
2008177939.tif 000002
【特許請求の範囲】
【請求項１】
ネットワークに接続され、前記ネットワークからコンテンツを取得する通信端末装置とデータ通信を行なう映像表示装置であって、
前記通信端末装置とデータ通信を行なう第１通信手段と、
前記ネットワークとデータ通信を行なう第２通信手段とを備え、
前記第１通信手段は、前記通信端末装置が前記ネットワークから取得したコンテンツである端末取得コンテンツを、前記通信端末装置から受信し、
受信した前記端末取得コンテンツを解析する解析手段をさらに備え、
前記第２通信手段は、前記解析手段の解析結果に基づいて、前記ネットワークから、コンテンツを取得し、
前記第２通信手段により取得されたコンテンツを表示する表示手段をさらに備える、映像表示装置。
【請求項２】
前記第２通信手段が前記ネットワークから取得するコンテンツは、前記端末取得コンテンツに関連するコンテンツである、請求項１に記載の映像表示装置。
【請求項３】
前記解析手段の解析結果に基づいて、前記ネットワークから取得したコンテンツに応じた処理を実行する実行手段をさらに備える、請求項１に記載の映像表示装置。
【請求項４】
前記解析手段は、前記受信した端末取得コンテンツからパラメータを抽出し、
前記第２通信手段は、前記ネットワークから、抽出された前記パラメータに関連するコンテンツを取得する、請求項１に記載の映像表示装置。
【請求項５】
前記第１通信手段は、前記通信端末装置から受信する前記端末取得コンテンツに関し予め定めた規則情報を、前記通信端末装置へ送信する、請求項１に記載の映像表示装置。
【請求項６】
前記第１通信手段は、前記第２通信手段により取得されたコンテンツを制御するための制御情報を、前記通信端末装置へ送信する、請求項１に記載の映像表示装置。
【発明の詳細な説明】
【技術分野】
【０００１】
本発明は、映像表示装置に関し、特に、コンテンツの表示制御を行なう映像表示装置に関する。
【背景技術】
【０００２】
近年、宅内の複数種類の装置間において、互いにデータ通信を可能とするための規格（以下、異装置間通信規格ともいう）に準拠した装置が普及しつつある。異装置間通信規格は、たとえば、ＤＬＮＡ（Digital Living Network Alliance）規格である。異装置間通信規格に準拠した装置は、たとえば、テレビ受像機、ＨＤＤ（Hard disk drive）レコーダ、オーディオ装置等である。また、異装置間通信規格に準拠した装置は、一般的に、ルータ等のネットワーク機器を介して、インターネット等のネットワークにも接続可能となっている。
【０００３】
また、ネットワークに接続可能な異装置間通信規格に準拠した装置は、リモコンで操作可能な装置であるのが一般的である。そのため、リモコンで操作可能であり、かつ、ネットワークに接続可能な複数種類の装置を、１つの装置で操作することが要求される。
【０００４】
特開２００２−１３５８１０号公報（特許文献１）には、インターネット等のネットワークに接続可能であって、普及率が非常に高い携帯電話等の通信端末装置を、ネットワークに接続可能な装置を操作するためのリモコンとして使用する技術（以下、第１の先行技術ともいう）が開示されている。
【特許文献１】特開２００２−１３５８１０号公報
【発明の開示】
【発明が解決しようとする課題】
【０００５】
最近では、携帯電話等の通信端末装置が、インターネットから取得したコンテンツ（以下、端末取得コンテンツともいう）に関連する多種多様なコンテンツを、インターネットから取得するケースが増えている。
【０００６】
しかしながら、特開２００２−１３５８１０号公報（特許文献１）には、端末取得コンテンツとしてのＥＰＧデータを参照しながら、通信端末装置に対し特定の操作を行なうことで、番組などのシンプルなコンテンツをＴＶに表示させる技術は開示されているものの、端末取得コンテンツに関連する、多種多様なコンテンツを、多くの手間をかけることなく、取得するための技術は開示されていない。
【０００７】
そのため、端末取得コンテンツに関連する、多種多様なコンテンツを取得するには、ユーザが、通信端末装置に対し多くの操作を行なう必要があり、ユーザに多くの手間をかけるという問題点がある。ここで、多くの操作とは、端末取得コンテンツが、たとえば、ニュースの情報である場合、当該ニュースに記載されている、ユーザが興味のある文字列を、通信端末装置で入力し、検索処理を行なうといった操作である。
【０００８】
本発明は、上述の問題点を解決するためになされたものであって、その目的は、多くの手間をかけることなく、多種多様なコンテンツを取得することが可能な映像表示装置を提供することである。
【課題を解決するための手段】
【０００９】
上述の課題を解決するために、この発明のある局面に従うと、ネットワークに接続され、ネットワークからコンテンツを取得する通信端末装置とデータ通信を行なう映像表示装置は、通信端末装置とデータ通信を行なう第１通信手段と、ネットワークとデータ通信を行なう第２通信手段とを備え、第１通信手段は、通信端末装置がネットワークから取得したコンテンツである端末取得コンテンツを、通信端末装置から受信し、映像表示装置は、受信した端末取得コンテンツを解析する解析手段をさらに備え、第２通信手段は、解析手段の解析結果に基づいて、ネットワークから、コンテンツを取得し、映像表示装置は、第２通信手段により取得されたコンテンツを表示する表示手段をさらに備える。
【００１０】
好ましくは、第２通信手段がネットワークから取得するコンテンツは、端末取得コンテンツに関連するコンテンツである。
【００１１】
好ましくは、解析手段の解析結果に基づいて、ネットワークから取得したコンテンツに応じた処理を実行する実行手段をさらに備える。
【００１２】
好ましくは、解析手段は、受信した端末取得コンテンツからパラメータを抽出し、第２通信手段は、ネットワークから、抽出されたパラメータに関連するコンテンツを取得する。
【００１３】
好ましくは、第１通信手段は、通信端末装置から受信する端末取得コンテンツに関し予め定めた規則情報を、通信端末装置へ送信する。
【００１４】
好ましくは、第１通信手段は、第２通信手段により取得されたコンテンツを制御するための制御情報を、通信端末装置へ送信する。
【発明の効果】
【００１５】
本発明に係る映像表示装置は、通信端末装置がネットワークから取得したコンテンツである端末取得コンテンツを通信端末装置から受信し、受信した端末取得コンテンツが解析され、解析結果に基づいて、ネットワークから、コンテンツを取得する。
【００１６】
したがって、多くの手間をかけることなく、多種多様なコンテンツを取得することができるという効果を奏する。
【発明を実施するための最良の形態】
【００１７】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１８】
本発明において取り扱うコンテンツとは、映像、音声、画像などのデジタルデータおよびそれらに関連する関連情報などを意図している。当然のことながら、上記コンテンツと同様の扱い方をされるものであれば、コンテンツはデジタルデータに限定されるものではない。また、コンテンツが、テレビ放送、インターネット放送、携帯電話網などのネットワークを介して提供されるならば、一つのコンテンツが複数のネットワークから提供されることも可能である。
【００１９】
＜第１の実施の形態＞
（システムの構成）
図１は、本実施の形態におけるネットワークシステム１０００の構成を示す図である。図１を参照して、ネットワークシステム１０００には、ホームネットワーク５０１が含まれる。
【００２０】
ホームネットワーク５０１は、たとえば、宅内に設けられたネットワークである。宅内とは、たとえば、ユーザの自宅内、会社内等である。ホームネットワーク５０１には、通信端末装置５００と、映像表示装置６００と、通信部５０とが含まれる。
【００２１】
通信端末装置５００は、ＰＤＡ（Personal Digital Assistance）である。また、通信端末装置５００は、電話の機能を有する。なお、通信端末装置５００は、電話の機能を有していなくてもよい。また、通信端末装置５００は、ＰＤＡに限定されることなく、通信機能を備え、携帯可能な装置であればどのような装置（たとえば、ＰＣ（Personal Computer）、携帯電話）でもよい。
【００２２】
通信端末装置５００は、電話網６０と、無線によりデータ通信可能である。電話網６０は、たとえば、携帯電話のための電話網である。なお、通信端末装置５００は、電話網６０とデータ通信をした場合、データ通信時に使用したデータ量に応じたパケット料金が発生する。
【００２３】
映像表示装置６００は、液晶テレビである。なお、映像表示装置６００は、液晶テレビに限定されることなく、画像を表示可能な装置であればどのような装置であってもよい。映像表示装置６００は、たとえば、プラズマテレビであってもよい。また、映像表示装置６００は、画像を表示するための表示装置と、当該表示装置に表示させるための画像データを送信する画像データ送信装置とから構成される装置であってもよい。画像データ送信装置は、たとえば、ＳＴＢ（Set Top Box）、ＰＣ、ＨＤＤレコーダ、ＤＶＤ（Digital Versatile Disc）レコーダ等である。
【００２４】
通信端末装置５００と、映像表示装置６００とは、無線または有線でデータ通信を行なう。すなわち、通信端末装置５００と、映像表示装置６００とから映像表示システムが構成される。
【００２５】
通信部５０は、通信端末装置５００、映像表示装置６００およびネットワーク７０の各々と、データ通信を行なう機能を有する。ネットワーク７０は、インターネットなどの外部のネットワークである。
【００２６】
通信部５０は、無線ＬＡＮの規格である、ＩＥＥＥ８０２．１１ｇに基づく無線技術を利用して、複数の機器と同時にデータ通信を行なう機能を有する。なお、無線技術は、ＩＥＥＥ８０２．１１ｇに基づく技術に限定されることはなく、その他の無線技術であってもよい。したがって、通信部５０は、通信端末装置５００、映像表示装置６００およびネットワーク７０の各々と、無線でデータ通信を行なうことが可能である。
【００２７】
また、通信部５０は、さらに、イーサネット（登録商標）を利用した通信用インターフェースを有し、ホームネットワーク５０１内の装置がネットワーク７０への接続要求を出した場合、機器が有するアドレスをネットワーク７０におけるアドレスに変換するＮＡＴ（Network Address Translation）機能を含むルータ機能を持つ。したがって、通信部５０は、たとえば、ＬＡＮケーブルを介して、通信端末装置５００、映像表示装置６００およびネットワーク７０の各々とデータ通信を行なうことができる。すなわち、通信部５０は、通信端末装置５００、映像表示装置６００およびネットワーク７０の各々と、有線でデータ通信を行なうことが可能である。
【００２８】
また、ネットワーク７０は、電話網６０と、無線または有線によりデータ通信可能である。したがって、通信端末装置５００は、電話網６０を介して、ネットワーク７０とデータ通信可能である。
【００２９】
ネットワークシステム１０００には、さらに、サービスサーバ８００Ａと、検索サーバ８００Ｓと、Ｗｅｂサーバ８００Ｗとが含まれる。
【００３０】
サービスサーバ８００Ａは、コンテンツおよび、コンテンツに関連する情報等を提供するサーバである。コンテンツは、たとえば、動画像、音楽データ等である。コンテンツが、たとえば、番組の動画像である場合、コンテンツに関連する情報とは、たとえば、番組情報である。サービスサーバ８００Ａは、ＰＣである。なお、サービスサーバ８００Ａは、ＰＣに限定されることなく、動画像等のコンテンツ、音楽データ等のコンテンツ、コンテンツに関連する情報等を提供する機能を有した装置であればどのような装置であってもよい。
【００３１】
サービスサーバ８００Ａは、現在の日時から、所定期間（たとえば、２４時間）前の日時までの期間における、全てのチャンネルの全ての番組を録画し、番組を録画した録画データを記憶している。なお、サービスサーバ８００Ａは、現在の日時から、所定期間（たとえば、２４時間）経過後の録画データを自動的に削除する。したがって、サービスサーバ８００Ａには、現在の日時から、所定期間前の日時までの期間における、全てのチャンネルの全ての番組の録画データが記憶されている。また、サービスサーバ８００Ａは、放送される番組の録画データとは別に、装置からの配信要求に応じて配信する、映画などの映像コンテンツを記憶している。なお、サービスサーバ８００Ａは、録画データの配信要求があれば、録画データの配信要求を行なった装置へ、配信要求された録画データを、送信またはストリーミング配信する。
【００３２】
また、サービスサーバ８００Ａは、現在、放送中の番組およびこれから放送予定の動画像データを所定期間（たとえば、２４時間）分予め記憶している。そして、現在、放送中の番組の動画像データの配信要求があれば、動画像データの配信要求を行なった装置へ、配信要求された動画像データをストリーミング配信する。
【００３３】
検索サーバ８００Ｓは、ネットワーク７０に接続された端末装置から、検索情報としてのキーワードを受信すると、受信したキーワードに関連する情報のＷｅｂページのＵＲＬ（Uniform Resource Locator）を検索するサーバである。検索サーバ８００Ｓは、ＰＣである。なお、検索サーバ８００Ｓは、ＰＣに限定されることなく、ネットワーク７０に接続された端末装置からキーワードを受信した場合、受信したキーワードに関連する情報のＷｅｂページのＵＲＬ（Uniform Resource Locator）を検索する機能を有する装置であればどのような装置であってもよい。
【００３４】
Ｗｅｂサーバ８００Ｗは、複数種類の情報の各々に対応する複数のＷｅｂページのデータを提供するサーバである。Ｗｅｂサーバ８００Ｗは、たとえば、映画に関連する情報に対応する複数のＷｅｂページのデータを提供する。Ｗｅｂサーバ８００Ｗは、ＰＣである。なお、Ｗｅｂサーバ８００Ｗは、ＰＣに限定されることなく、複数種類の情報の各々に対応する複数のＷｅｂページのデータを提供する機能を有する装置であればどのような装置であってもよい。
【００３５】
サービスサーバ８００Ａ、検索サーバ８００ＳおよびＷｅｂサーバ８００Ｗの各々は、ネットワーク７０と、無線または有線でデータ通信を行なう。
【００３６】
本実施の形態では、通信部５０は、通信端末装置５００、映像表示装置６００およびネットワーク７０の各々と、高速にデータ通信が可能であるとする。通信部５０は、通信端末装置５００、映像表示装置６００およびネットワーク７０の各々と、たとえば、最大で１００Ｍｂｐｓ（Mega bit per second）の速度でデータ通信が可能であるとする。
【００３７】
また、ネットワーク７０は、通信部５０、電話網６０、サービスサーバ８００Ａ、検索サーバ８００ＳおよびＷｅｂサーバ８００Ｗの各々と、高速にデータ通信が可能であるとする。ネットワーク７０は、通信部５０、電話網６０、サービスサーバ８００Ａ、検索サーバ８００ＳおよびＷｅｂサーバ８００Ｗの各々と、たとえば、最大で１００Ｍｂｐｓの速度でデータ通信が可能であるとする。したがって、たとえば、映像表示装置６００とネットワーク７０とのデータ通信の最大速度は１００Ｍｂｐｓであるとする。また、たとえば、通信端末装置５００とネットワーク７０とのデータ通信の最大速度は１００Ｍｂｐｓであるとする。
【００３８】
なお、通信端末装置５００と電話網６０とのデータ通信の速度は、通信端末装置５００とネットワーク７０とのデータ通信の速度よりも遅いとする。通信端末装置５００と電話網６０とのデータ通信の最大速度は、たとえば、２５６ｋｂｐｓであるとする。
【００３９】
また、通信端末装置５００と映像表示装置６００とのデータ通信の速度は、通信端末装置５００と電話網６０とのデータ通信の速度よりも、十分に速いとする。通信端末装置５００と映像表示装置６００とのデータ通信の最大速度は、たとえば、４Ｍｂｐｓであるとする。
【００４０】
（通信端末装置）
次に、通信端末装置５００について詳細に説明する。
【００４１】
図２は、通信端末装置５００の外観を正面から示した図である。図２を参照して、通信端末装置５００は、表示部５３０と、音声出力部５７０と、ＬＥＤ５７６と、入力部５４０とを備える。
【００４２】
表示部５３０は、文字や画像等を表示する機能を有する。表示部５３０は、ＬＣＤパネル（Liquid Crystal Display Panel）を使用した装置である。なお、表示部５３０は、上記以外の表示方式のパネルを使用した装置であってもよい。
【００４３】
表示部５３０の解像度は、横４８０（ドット）×縦６４０（ドット）である。なお、表示部５３０の解像度は、横４８０（ドット）×縦６４０（ドット）に限定されることなく、他の解像度であってもよい。
【００４４】
また、表示部５３０は、ユーザが、画面に直接触れることで、情報入力可能なタッチパネル機能を有する。表示部５３０は、ユーザが画面にタッチした位置情報を、後述する制御部５１０へ送信する。制御部５１０は、受信した位置情報に基づいて、所定の処理を行なう。
【００４５】
音声出力部５７０は、電話の音声を出力する機能を有する。音声出力部５７０には、音声を出力するスピーカが含まれる。音声出力部５７０は、後述する制御部５１０から受信した音声データに基づく音声をスピーカから出力する。
【００４６】
ＬＥＤ５７６は、通信端末装置５００で行なわれる処理に応じて、光による報知を行なう。たとえば、ＬＥＤ５７６は、電話の着信があった場合、光を点滅させる。
【００４７】
入力部５４０は、ボタン群５４１を含む。ボタン群５４１は、方向ボタン５４１Ａ，５４１Ｂ，５４１Ｃ，５４１Ｄと、決定ボタン５４１Ｅとを含む。方向ボタン５４１Ａ，５４１Ｂ，５４１Ｃ，５４１Ｄは、ユーザによる短時間（たとえば、１秒未満）の押下操作（以下、短押操作ともいう）により、表示部５３０に画像が表示されている場合、画像内の移動させる対象となる物（たとえば、カーソル等）を上下左右に移動させるためのボタンである。具体的には、短押操作があった、方向ボタン５４１Ａ，５４１Ｂ，５４１Ｃ，５４１Ｄは、たとえば、カーソルを、それぞれ、上，下，左，右に移動させるためのボタンである。また、方向ボタン５４１Ａ，５４１Ｂ，５４１Ｃ，５４１Ｄは、ユーザによる長時間（たとえば、一秒以上）の押下操作（以下、長押操作ともいう）により、たとえば画面をそれぞれ、上，下，左，右に画面スクロールすることも可能である。
【００４８】
決定ボタン５４１Ｅは、短押操作により、たとえば、方向ボタン５４１Ａ，５４１Ｂ，５４１Ｃ，５４１Ｄの短押操作により選択された項目等を決定するためのボタンである。
【００４９】
入力部５４０は、さらに、機能ボタン５４２Ａ，５４２Ｂ，５４３Ａ，５４３Ｂを含む。機能ボタン５４２Ａ，５４２Ｂの各々は、短押操作により、たとえば、ユーザにより予め設定されたプログラム等を起動させるためのボタンである。
【００５０】
機能ボタン５４３Ａは、通信端末装置５００に電話がかかってきた場合、短押操作により通話開始を行なうためのボタンである。機能ボタン５４３Ｂは、通信端末装置５００が通話中である場合、短押操作により通話を終了させるためのボタンである。また、機能ボタン５４３Ｂは、ユーザによる長時間（たとえば、１秒以上）の押下操作（以下、長押操作ともいう）により、通信端末装置５００の電源のオンとオフとの切替えを行なうためのボタンである。
【００５１】
入力部５４０は、入力部５４０に含まれる複数のボタンのうち、短押操作または長押操作されたボタンに対応するボタン信号を、後述する制御部５１０へ送信する。すなわち、入力部５４０は、ユーザが通信端末装置５００を操作するためのインターフェースである。以下においては、ユーザによる、入力部５４０の操作または表示部５３０に対するタッチ操作を、インターフェース操作Ｍともいう。
【００５２】
通信端末装置５００は、さらに、音声入力部５７４を備える。音声入力部５７４は、通話のときに、音声を入力する機能を有する。音声入力部５７４には、音声を入力するマイクが含まれる。音声入力部５７４は、マイクにより取得した音声を音声データに変換して、音声データを、通信端末装置５００内の後述する制御部５１０へ送信する。
【００５３】
図３は、通信端末装置５００の内部構成を示したブロック図である。なお、図３には、説明のために、記録媒体５５５も示している。記録媒体５５５には、後述するプログラム１８０が記録されている。すなわち、プログラム１８０は、媒体等に記録されてプログラム製品として流通される。また、記録媒体５５５もプログラム製品として流通される。
【００５４】
図３を参照して、通信端末装置５００は、さらに、制御部５１０と、一時記憶部５２２と、記憶部５２０とを備える。
【００５５】
記憶部５２０は、データを不揮発的に記憶する機能を有する。記憶部５２０は、制御部５１０によってデータアクセスされる。記憶部５２０は、電源を供給されなくてもデータを不揮発的に保持可能な媒体（たとえば、フラッシュメモリ）である。記憶部５２０には、プログラム１８０、後述する録画データ、その他の各種データ等が記憶されている。プログラム１８０は、後述する、リモコンプログラムを含む。
【００５６】
制御部５１０は、記憶部５２０に記憶されたプログラム１８０に従って、通信端末装置５００内の各部に対する各種処理や、演算処理等を行なう機能を有する。制御部５１０は、ＣＰＵ（Central Processing Unit）である。なお、制御部５１０は、ＣＰＵに限定されることなく、演算機能を有するその他の回路であってもよい。
【００５７】
一時記憶部５２２は、制御部５１０によってデータアクセスされ、一時的にデータを記憶するワークメモリとして使用される。一時記憶部５２２は、ＲＡＭ（Random Access Memory）である。なお、一時記憶部５２２は、ＲＡＭに限定されることなく、データを揮発的に記憶可能なその他の回路であってもよい。
【００５８】
通信端末装置５００は、さらに、ＶＤＰ５３２と、ＶＲＡＭ（Video Random Access Memory）５３６とを備える。
【００５９】
ＶＲＡＭ５３６は、画像データを一時的に記憶する機能を有する。
制御部５１０は、記憶部５２０に記憶されたプログラム１８０に従って、ＶＤＰ５３２に対し、描画指示を出す。描画指示とは、画像を生成し、当該画像を表示部５３０に表示させる指示である。
【００６０】
ＶＤＰ５３２は表示部５３０と接続されている。ＶＤＰ５３２は、制御部５１０からの描画指示に応じて、記憶部５２０内の後述するプログラム１８０からフォントデータ、図形データ等を読出し、ＶＲＡＭ５３６を利用して画像を生成する。そして、ＶＤＰ５３２は、ＶＲＡＭ５３６に記憶された画像データを読出し、表示部５３０に、当該画像データに基づく画像を表示させる。
【００６１】
通信端末装置５００は、さらに、入力部５４０と、記録媒体アクセス部５５０を備える。
【００６２】
制御部５１０は、入力部５４０に含まれる、前述した複数のボタンのうち、短押操作または長押操作があったボタンに対応するボタン信号を、入力部５４０から受信する。制御部５１０は、受信したボタン信号に応じた処理を行なう。
【００６３】
記録媒体アクセス部５５０は、記録媒体５５５が、通信端末装置５００の外部に設けられた、記録媒体を挿入するための記録媒体挿入部（図示せず）に挿入（装着）されると、記録媒体５５５にデータアクセス可能となる。これにより、記録媒体アクセス部５５０は、プログラム１８０が記録された記録媒体５５５から、プログラム１８０を読出すことが可能となる。
【００６４】
記録媒体５５５に記憶されているプログラム１８０は、制御部５１０のインストール処理により、記録媒体アクセス部５５０により読み出され、制御部５１０が、プログラム１８０を、記憶部５２０に記憶させる。このインストール処理用プログラムは、予め、記憶部５２０に格納されており、インストール処理は、制御部５１０が、インストール処理用プログラムに基づいて行なう。
【００６５】
なお、記憶部５２０には、プログラム１８０がインストールされていなくてもよい。この場合、制御部５１０は、記録媒体アクセス部５５０を介して、記録媒体５５５に記憶されたプログラム１８０を読み出して、プログラム１８０に基づいた所定の処理を行なう。記録媒体５５５には、さらに、コンテンツデータ等も記録されている。コンテンツデータは、たとえば、音楽データ、動画像データ等である。
【００６６】
記録媒体５５５は、ＳＤ（Secure Digital（登録商標））メモリーカードである。なお、記録媒体５５５は、ＳＤメモリーカード（登録商標）に限定されることなく、データを不揮発的に記録可能なその他の媒体であってもよい。
【００６７】
通信端末装置５００は、さらに、通信部５６０と、通信部５６２とを備える。
通信部５６０は、制御部５１０とデータの送受信を行なう。また、通信部５６０は、映像表示装置６００と有線または無線で、データの送受信を行なう機能を有する。
【００６８】
通信部５６０は、ＵＳＢ（Universal Serial Bus）２．０の規格に基づく、シリアル転送を行なう通信用インターフェースの機能を有する。なお、シリアル転送を行なう通信用インターフェースの規格は、ＵＳＢ２．０に限定されることなく他の規格であってもよい。
【００６９】
なお、通信部５６０は、パラレル転送を行なう通信用インターフェースの機能を有していてもよい。パラレル転送を行なう通信用インターフェースは、たとえば、セントロニクス準拠の規格に準拠したインターフェースである。また、通信部５６０は、ＩＥＥＥ１３９４またはＳＣＳＩ規格に基づく通信用インターフェースの機能を有していてもよい。
【００７０】
また、通信部５６０は、さらに、無線データ通信機能を有する。無線データ通信機能は、Bluetooth（登録商標）を使用して、無線でデータ通信を行なう機能を有する。なお、無線データ通信は、Bluetooth（登録商標）を使用した方式に限定されることなく、たとえば、赤外線等を使用した他の通信方式であってもよい。通信部５６０は、制御部５１０からの制御指示に応じて、映像表示装置６００と無線でデータ通信を行なう。
【００７１】
通信部５６２は、制御部５１０と、データの送受信を行なう。通信部５６２は、無線ＬＡＮの規格である、ＩＥＥＥ８０２．１１ｇに基づく無線技術を利用して、複数の機器と同時にデータ通信を行なう機能を有する。なお、無線技術は、ＩＥＥＥ８０２．１１ｇに基づく技術に限定されることはなく、その他の無線技術であってもよい。したがって、通信部５６２は、無線により、通信部５０とデータ通信を行なうことができる。
【００７２】
また、通信部５６２は、さらに、イーサネット（登録商標）を利用した通信用インターフェースの機能を有する。したがって、通信部５６２は、たとえば、ＬＡＮケーブルを介して、通信部５０とデータ通信を行なうことができる。
【００７３】
したがって、本実施の形態における通信端末装置５００は、ネットワーク７０から、通信部５０および通信部５６２を介して、プログラムのダウンロード処理を行ない、記憶部５２０に格納することもできる。この場合、当該ダウンロードしたプログラムは、プログラム１８０である。
【００７４】
制御部５１０は、ネットワーク７０からダウンロードしたプログラム（プログラム１８０）に従って、所定の処理を行なう。このダウンロード用プログラムは、予め、記憶部５２０に格納されており、ダウンロード処理は、制御部５１０が、ダウンロード用プログラムに基づいて行なう。
【００７５】
通信端末装置５００は、さらに、アンテナ５６４と、通信部５６６とを備える。
アンテナ５６４は、通信部５６６と接続されている。通信部５６６は、アンテナ５６４を利用して、無線通信信号を送受信する機能を有する。通信部５６６は、制御部５１０により指示された周波数の無線通信信号を、アンテナ５６４を介して受信する。無線通信信号は、音声データ、文字データおよび画像データ等を含む信号である。
【００７６】
通信部５６６は、アンテナ５６４を利用して、無線通信信号により、図示しない最寄の基地局と通信を行なう。最寄の基地局は、電話網６０と通信を行なうことができる。したがって、通信部５６６は、アンテナ５６４を利用して、無線通信信号により、最寄の基地局を介して、電話網６０と通信を行なう。通信部５６６は、無線通信信号を受信した場合、当該無線通信信号を復調し、復調した無線通信信号に基づくデータを、制御部５１０へ送信する。また、通信部５６６は、無線通信信号を送信する場合、制御部５１０からデータ（たとえば、音声データ）を受信し、当該データを、所定のプロトコルに基づいて、無線通信信号に変換する。そして、通信部５６６は、アンテナ５６４を利用して、変換した無線通信信号を、図示しない最寄の基地局を介して、電話網６０へ送信する。
【００７７】
通信部５６６は、最寄の基地局と通信を行なうことで、基地局の位置を示す情報（以下、基地局位置情報ともいう）も取得可能である。通信部５６６は、制御部５１０からの制御指示に応じて、取得した基地局位置情報を、制御部５１０へ送信する。制御部５１０は、受信した基地局位置情報に基づいて、通信端末装置５００の位置を大まかに把握することができる。
【００７８】
また、通信部５６６は、ＧＰＳ（Global Positioning System）機能を有する。ＧＰＳ機能とは、人口衛星と通信して、通信端末装置５００の位置（緯度、経度、高度等に基づく位置）の情報（以下、ＧＰＳ位置情報ともいう）を取得する機能である。通信部５６６は、制御部５１０からの制御指示に応じて、ＧＰＳ位置情報を取得し、制御部５１０へ送信する。
【００７９】
通信端末装置５００は、さらに、通信端末装置５００の外部に設けられた、音声出力部５７２を備える。音声出力部５７２は、制御部５１０で行なわれる処理に対応した音声を出力する機能を有する。音声出力部５７２には、音声を出力するスピーカが含まれる。音声出力部５７２は、制御部５１０から受信した音声データに基づく音声をスピーカから出力する。
【００８０】
制御部５１０は、前述した音声出力部５７０，５７２、音声入力部５７４とデータ通信する。
【００８１】
制御部５１０が、音声データを音声出力部５７０へ送信すると、音声出力部５７０は、制御部５１０から受信した音声データに基づく音声をスピーカから出力する。制御部５１０が、音声データを音声出力部５７２へ送信すると、音声出力部５７２は、制御部５１０から受信した音声データに基づく音声をスピーカから出力する。
【００８２】
ユーザが音声入力部５７４に含まれるマイクに対して音声を発すると、音声入力部５７４は、マイクにより取得した音声を音声データに変換して、音声データを、制御部５１０へ送信する。
【００８３】
制御部５１０は、前述したＬＥＤ５７６とデータ通信する。ＬＥＤ５７６は、制御部５１０からの制御指示に基づいて、光を発する。
【００８４】
（映像表示装置）
次に、映像表示装置６００について詳細に説明する。
【００８５】
図４は、映像表示装置６００の内部構成を示したブロック図である。なお、図４には、説明のために、記録媒体５５５Ａも示している。記録媒体５５５Ａには、後述するプログラム１８０Ａが記録されている。すなわち、プログラム１８０Ａは、媒体等に記録されてプログラム製品として流通される。また、記録媒体５５５Ａもプログラム製品として流通される。
【００８６】
図４を参照して、映像表示装置６００は、表示部６３０と、音声出力部６７０とを備える。表示部６３０は、文字や画像等を表示する機能を有する。表示部６３０は、ＬＣＤパネル（Liquid Crystal Display Panel）を使用した装置である。なお、表示部５３０は、上記以外の表示方式のパネルを使用した装置であってもよい。表示部６３０が表示可能な画像のサイズは、表示部５３０が表示可能な画像のサイズより大きい。また、表示部６３０の解像度は、表示部５３０の解像度より大きい。たとえば、表示部６３０の解像度は、ＰＣの画像が表示できる横１３６６（ドット）×縦７６８（ドット）の解像度である。なお、表示部６３０の解像度は、横１３６６（ドット）×縦７６８（ドット）に限定されることなく、他の解像度であってもよい。
【００８７】
音声出力部６７０は、映像表示装置６００の外部に設けられる。音声出力部６７０は、後述する制御部６１０で行なわれる処理に対応した音声を出力する機能を有する。音声出力部６７０には、音声を出力するスピーカが含まれる。音声出力部６７０は、後述する制御部６１０から受信した音声データに基づく音声をスピーカから出力する。
【００８８】
映像表示装置６００は、さらに、制御部６１０と、一時記憶部６２２と、記憶部６２０とを備える。
【００８９】
記憶部６２０は、データを不揮発的に記憶する機能を有する。記憶部６２０は、制御部６１０によってデータアクセスされる。記憶部６２０は、大容量のデータを記憶可能なハードディスクである。なお、記憶部６２０は、ハードディスクに限定されることなく、電源を供給されなくてもデータを不揮発的に保持可能な媒体（たとえば、フラッシュメモリ）であればよい。記憶部６２０には、プログラム１８０Ａ、後述する録画データ、映像表示装置６００を識別するための装置ＩＤ、その他の各種データ等が記憶されている。
【００９０】
制御部６１０は、記憶部６２０に記憶されたプログラム１８０Ａに従って、映像表示装置６００内の各部に対する各種処理や、演算処理等を行なう機能を有する。制御部６１０は、前述の制御部５１０と同様なものであるので詳細な説明は繰り返さない。
【００９１】
一時記憶部６２２は、制御部６１０によってデータアクセスされ、一時的にデータを記憶するワークメモリとして使用される。一時記憶部６２２は、前述の一時記憶部５２２と同様なものであるので詳細な説明は繰り返さない。
【００９２】
映像表示装置６００は、さらに、アンテナ６０２と、チューナ６０５と、データ処理部６０７とを備える。
【００９３】
アンテナ６０２は、チューナ６０５と接続されている。チューナ６０５は、制御部６１０により指示された周波数の放送信号を、アンテナ６０２を介して受信する。チューナ６０５は、ディジタル放送およびアナログ放送に基づく放送信号を受信する機能を有する。
【００９４】
放送信号は、画像データ、音声データ、テキストデータ、ＥＰＧデータを含む。なお、放送信号が、ディジタル放送に基づく信号である場合、放送信号は、さらに、前述したＢＭＬデータ等が含まれる。チューナ６０５は、受信した放送信号を、データ処理部６０７へ送信する。
【００９５】
データ処理部６０７は、受信した放送信号を復調し、復調データとする。受信した放送信号が、アナログ放送に基づく信号である場合、データ処理部６０７は、以下の処理を行なう。まず、データ処理部６０７は、復調データを、デコード処理し、画像データおよび音声データを取得するとともに、放送信号の垂直帰線区間から、テキストデータ、ＥＰＧデータを取得する。
【００９６】
そして、データ処理部６０７は、制御部６１０から、表示部６３０に画像を表示させるための表示指示を受信すると、画像データを、後述するＶＤＰ６３２へ送信する。ＶＤＰ６３２は、画像データを受信すると、表示部６３０に画像データに基づく画像（動画像または静止画像）を表示させる。
【００９７】
また、データ処理部６０７は、制御部６１０から、録画処理を行なうための録画指示を受信すると、画像データおよび音声データを圧縮して、録画データとして、記憶部６２０に記憶させる。録画データは、ＭＰＥＧ（Moving Picture Experts Group）２形式で圧縮されたデータである。なお、録画データは、ＭＰＥＧ２形式で圧縮されたデータに限定されることなく、他の形式で圧縮されたデータであってもよい。ここで、他の形式とは、たとえば、Ｈ．２６４等の形式である。
【００９８】
また、受信した放送信号が、ディジタル放送に基づく信号である場合、データ処理部６０７は、以下の処理を行なう。まず、データ処理部６０７は、復調データを、ディジタル放送の規格に基づいてデコード処理し、デコードデータにする。デコードデータには、画像データ、音声データ、テキストデータ、ＥＰＧデータ、ＢＭＬデータが含まれる。デコードデータに含まれる、画像データおよび音声データは、ＭＰＥＧ２形式で圧縮されたデータである。なお、デコードデータに含まれる、画像データおよび音声データは、ＭＰＥＧ２形式で圧縮されたデータに限定されることなく、他の形式で圧縮されたデータであってもよい。ここで、他の形式とは、たとえば、Ｈ．２６４等の形式である。
【００９９】
そして、データ処理部６０７は、制御部６１０から、表示部６３０に画像データを表示させるための表示指示を受信すると、表示指示により指定されたチャンネルのデコードデータに含まれる画像データを、後述するＶＤＰ６３２へ送信する。ＶＤＰ６３２は、画像データを受信すると、表示部６３０に画像データに基づく画像（動画像または静止画像）を表示させる。
【０１００】
以下においては、チューナ６０５が受信した放送信号に基づく画像であって、かつ、表示部６３０に表示される画像を、ＴＶ画像ともいう。なお、映像表示装置６００を操作するための後述するリモコン３００に設けられる、“１”〜“１２”の数字ボタンの押下操作で、直接、選局可能なＴＶ画像のチャンネルの種類の数は、最大で１２個であるとする。当然のことながら、リモコン３００に設けられる数字ボタンの数が多ければ多いほど、直接、選局可能なＴＶ画像のチャンネルの種類の数は多くなる。
【０１０１】
リモコン３００の“１”〜“１２”の数字ボタンには、それぞれ、“１”〜“１２”のリモコンチャンネル番号が設定される。たとえば、“３”の数字ボタンには、リモコンチャンネル番号“３”が設定される。また、１つのリモコンチャンネル番号には、１つのＴＶ画像のチャンネルを登録可能である。たとえば、リモコンチャンネル番号“１”に対し、ＴＶ画像のチャンネル番号“８”が登録されているとする。この場合、リモコン３００の“１”の数字ボタンが、ユーザにより押下処理されることにより、リモコン３００から、チャンネル番号“８”のＴＶ画像を選局するためのリモコン信号が、映像表示装置６００へ送信される。
【０１０２】
なお、映像表示装置６００は、複数種類のＴＶ画像を同時に、表示部６３０に表示する機能を有する。また、映像表示装置６００は、ＴＶ画像と、他の種類の画像とを同時に、表示部６３０に表示する機能を有する。
【０１０３】
また、データ処理部６０７は、制御部６１０から、録画処理を行なうための録画指示を受信すると、録画指示により指定されたチャンネルのデコードデータを、録画データとして、記憶部６２０に記憶させる。この場合の録画データを、以下においては、コンテンツともいう。この場合、録画データには、画像データ、音声データ、テキストデータおよびＢＭＬデータが含まれる。
【０１０４】
映像表示装置６００は、さらに、ＶＤＰ６３２と、ＶＲＡＭ６３６とを備える。
ＶＲＡＭ６３６は、画像データを一時的に記憶する機能を有する。
【０１０５】
制御部６１０は、記憶部６２０に記憶されたプログラム１８０Ａに従って、ＶＤＰ６３２に対し、描画指示を出す。描画指示とは、画像を生成し、当該画像を表示部６３０に表示させる指示である。
【０１０６】
ＶＤＰ６３２は表示部６３０と接続されている。ＶＤＰ６３２は、制御部６１０からの描画指示に応じて、記憶部６２０内の後述するプログラム１８０Ａからフォントデータ、図形データ等を読出し、ＶＲＡＭ６３６を利用して画像を生成する。そして、ＶＤＰ６３２は、ＶＲＡＭ６３６に記憶された画像データを読出し、表示部６３０に、当該画像データに基づく画像を表示させる。
【０１０７】
映像表示装置６００は、さらに、入力部６４０と、記録媒体アクセス部６５０とを備える。
【０１０８】
入力部６４０は、図示されない複数のボタンを含む。複数のボタンは、映像表示装置６００の外部に設けられている。複数のボタンのうち、いずれかのボタンがユーザにより押下操作されると、入力部６４０は、押下操作されたボタンに対応するボタン信号を、制御部６１０へ送信する。制御部６１０は、受信したボタン信号に基づいて、所定の処理を行なう。以下においては、ユーザによる、入力部６４０のボタン操作を、インターフェース操作Ｔともいう。
【０１０９】
記録媒体アクセス部６５０は、プログラム１８０Ａが記録された記録媒体５５５Ａから、プログラム１８０Ａを読出す機能を有する。記録媒体５５５Ａに記憶されているプログラム１８０Ａは、制御部６１０のインストール処理により、記録媒体アクセス部６５０により読み出され、制御部６１０が、プログラム１８０Ａを、記憶部６２０に記憶させる。このインストール処理用プログラムは、予め、記憶部６２０に格納されており、インストール処理は、制御部６１０が、インストール処理用プログラムに基づいて行なう。
【０１１０】
なお、記憶部６２０には、プログラム１８０Ａがインストールされていなくてもよい。この場合、制御部６１０は、記録媒体アクセス部６５０を介して、記録媒体５５５Ａに記憶されたプログラム１８０Ａを読み出して、プログラム１８０Ａに基づいた所定の処理を行なう。記録媒体５５５Ａには、さらに、コンテンツデータ等も記録されている。コンテンツデータは、たとえば、音楽データ、動画像データ等である。
【０１１１】
記録媒体５５５Ａは、ＳＤメモリーカード（登録商標）である。なお、記録媒体５５５は、ＳＤメモリーカード（登録商標）に限定されることなく、データを不揮発的に記録可能なその他の媒体、たとえば、Blu-ray Disc(登録商標)、ＨＤ−ＤＶＤ（High-Definition Digital Versatile Disc）（登録商標）、ＤＶＤ−ＲＯＭ（Digital Versatile Disk Read Only Memory）、ＣＤ−ＲＯＭ（Compact Disk Read Only Memory）、等であってもよい。
【０１１２】
映像表示装置６００は、さらに、通信部６６０と、通信部６６２とを備える。
通信部６６０は、制御部６１０とデータの送受信を行なう。また、通信部６６０は、通信端末装置５００と有線または無線で、データの送受信を行なう機能を有する。なお、通信部６６０は、前述の通信部５６０と同様な構成および機能を有するので詳細な説明は繰り返さない。
【０１１３】
通信部６６２は、制御部６１０と、データの送受信を行なう。通信部６６２は、前述の通信部５６２と同様な構成および機能を有するので詳細な説明は繰り返さない。したがって、通信部６６２は、無線により、通信部５０とデータ通信を行なうことができる。また、通信部６６２は、たとえば、ＬＡＮケーブルを介して、通信部５０とデータ通信を行なうことができる。
【０１１４】
したがって、本実施の形態における映像表示装置６００は、ネットワーク７０から、通信部５０および通信部６６２を介して、プログラムのダウンロード処理を行ない、記憶部６２０に格納することもできる。この場合、当該ダウンロードしたプログラムは、プログラム１８０Ａである。
【０１１５】
制御部６１０は、ネットワーク７０からダウンロードしたプログラム（プログラム１８０Ａ）に従って、所定の処理を行なう。このダウンロード用プログラムは、予め、記憶部６２０に格納されており、ダウンロード処理は、制御部６１０が、ダウンロード用プログラムに基づいて行なう。
【０１１６】
映像表示装置６００は、さらに、リモコン信号受信部６８０を備える。リモコン信号受信部６８０は、リモコン（リモートコントローラー）３００から出力される、映像表示装置６００を操作するためのリモコン信号を受信する機能を有する。リモコン信号受信部６８０は、受信したリモコン信号を制御部６１０へ送信する。制御部６１０は、受信したリモコン信号に応じて、対応する処理を行なう。なお、リモコン３００には、前述したように、ＴＶ画像を選局するための“１”〜“１２”の数字ボタンが設けられる。以下においては、ユーザによる、リモコン３００の操作も、インターフェース操作Ｔともいう。
【０１１７】
制御部６１０は、前述した音声出力部６７０とデータ通信する。制御部６１０が、音声データを音声出力部６７０へ送信すると、音声出力部６７０は、制御部６１０から受信した音声データに基づく音声をスピーカから出力する。
【０１１８】
（サービスサーバ、検索サーバおよびＷｅｂサーバ）
図５は、サービスサーバ８００Ａの内部構成を示したブロック図である。図５を参照して、サービスサーバ８００Ａは、表示部８３０と、制御部８１０と、一時記憶部８２２と、記憶部８２０とを備える。
【０１１９】
表示部８３０は、文字や画像等を表示する機能を有する。表示部８３０は、前述の表示部６３０と同様なものであるので詳細な説明は繰り返さない。
【０１２０】
記憶部８２０は、データを不揮発的に記憶する機能を有する。記憶部８２０は、制御部８１０によってデータアクセスされる。記憶部８２０は、大容量のデータを記憶可能なハードディスクである。なお、記憶部８２０は、ハードディスクに限定されることなく、電源を供給されなくてもデータを不揮発的に保持可能な媒体（たとえば、フラッシュメモリ）であればよい。記憶部８２０には、プログラム１８０Ｂ、録画データ、コンテンツデータ、その他の各種データ等が記憶されている。
【０１２１】
制御部８１０は、記憶部８２０に記憶されたプログラム１８０Ｂに従って、サービスサーバ８００Ａ内の各部に対する各種処理や、演算処理等を行なう機能を有する。制御部８１０は、前述の制御部５１０と同様なものであるので詳細な説明は繰り返さない。
【０１２２】
一時記憶部８２２は、制御部８１０によってデータアクセスされ、一時的にデータを記憶するワークメモリとして使用される。一時記憶部８２２は、前述の一時記憶部５２２と同様なものであるので詳細な説明は繰り返さない。
【０１２３】
サービスサーバ８００Ａは、さらに、ＶＤＰ８３２と、ＶＲＡＭ８３６とを備える。
ＶＲＡＭ８３６は、画像データを一時的に記憶する機能を有する。
【０１２４】
制御部８１０は、記憶部８２０に記憶されたプログラム１８０Ｂに従って、ＶＤＰ８３２に対し、描画指示を出す。描画指示とは、画像を生成し、当該画像を表示部８３０に表示させる指示である。
【０１２５】
ＶＤＰ８３２は表示部８３０と接続されている。ＶＤＰ８３２は、制御部８１０からの描画指示に応じて、記憶部５２０内の後述するプログラム１８０Ｂからフォントデータ、図形データ等を読出し、ＶＲＡＭ８３６を利用して画像を生成する。そして、ＶＤＰ８３２は、ＶＲＡＭ８３６に記憶された画像データを読出し、表示部８３０に、当該画像データに基づく画像を表示させる。
【０１２６】
サービスサーバ８００Ａは、さらに、入力部８４０を備える。
入力部８４０には、マウス８４２と、キーボード８４４とが接続されている。ユーザは、マウス８４２またはキーボード８４４を利用して、サービスサーバ８００Ａに指示を与える。マウス８４２またはキーボード８４４からの入力指示は、入力部８４０を介して制御部８１０へ送信される。制御部８１０は、入力部８４０からの入力指示に基づいて所定の処理を行なう。
【０１２７】
サービスサーバ８００Ａは、さらに、通信部８６０と、通信部８６２とを備える。
通信部８６０は、制御部８１０とデータの送受信を行なう。また、通信部８６０は、図示しない他の装置と有線または無線で、データの送受信を行なう機能を有する。なお、通信部８６０は、前述の通信部５６０と同様な構成および機能を有するので詳細な説明は繰り返さない。
【０１２８】
通信部８６２は、制御部８１０と、データの送受信を行なう。通信部８６２は、前述の通信部５６２と同様な構成および機能を有するので詳細な説明は繰り返さない。したがって、通信部８６２は、無線により、ネットワーク７０とデータ通信を行なうことができる。また、通信部８６２は、たとえば、ＬＡＮケーブルを介して、ネットワーク７０とデータ通信を行なうことができる。
【０１２９】
なお、検索サーバ８００ＳおよびＷｅｂサーバ８００Ｗの各々も、前述したサービスサーバ８００Ａと同様な構成を有するので詳細な説明は繰り返さない。
【０１３０】
（リモコン）
次に、通信端末装置５００を、映像表示装置６００を操作するためのリモコン（以下、表示装置リモコンともいう）として使用するための処理について説明する。インターフェース操作Ｍにより、制御部５１０がプログラム１８０のリモコンプログラムを実行すると、通信端末装置５００を、表示装置リモコンとして使用することが可能となる。この場合、表示部５３０には、以下のリモコン画像ＭＧ１００が表示される。
【０１３１】
図６は、一例としてのリモコン画像ＭＧ１００を示す図である。図６を参照して、リモコン画像ＭＧ１００には、ボタン画像ＭＢＧ１１０，ＭＢＧ１２０，ＭＢＧ１３０が配置される。
【０１３２】
ボタン画像ＭＢＧ１１０，ＭＢＧ１２０，ＭＢＧ１３０の各々は、インターフェース操作Ｍにより、押下処理されることで、制御部５１０が、後述の対応するリモコン信号を、通信部５６０を利用して、映像表示装置６００へ送信するためのボタン画像である。
【０１３３】
ボタン画像ＭＢＧ１１０は、インターフェース操作Ｍにより、押下処理されることで、電源リモコン信号を、映像表示装置６００へ送信するためのボタン画像である。ここで、映像表示装置６００は、待機モードを有する。待機モードとは、表示部６３０に画像を表示させるための電源がオフであるために、表示部６３０が画像を表示できない状態であって、主電源がオフでない状態である。すなわち、待機モードとは、表示部６３０に画像が表示されていない状態であって、主電源がオフでない状態である。以下においては、表示部６３０に画像を表示させるための電源を画像表示電源ともいう。
【０１３４】
したがって、映像表示装置６００が待機モードの場合、電源リモコン信号を受信することにより、画像表示電源がオンされることにより、表示部６３０に画像を表示させることができる。なお、以下においては、画像表示電源がオンの状態の映像表示装置６００を通常モードともいう。すなわち、電源リモコン信号は、映像表示装置６００において、待機モードと、通常モードとを切替えるためのリモコン信号である。
【０１３５】
ボタン画像ＭＢＧ１２０は、インターフェース操作Ｍにより、押下処理されることで、番組表表示リモコン信号を、映像表示装置６００へ送信するためのボタン画像である。番組表表示リモコン信号は、映像表示装置６００の表示部６３０に、後述する番組表画像を表示させるためのリモコン信号である。
【０１３６】
ボタン画像ＭＢＧ１３０は、インターフェース操作Ｍにより、押下処理されることで、メニュー表示リモコン信号を、映像表示装置６００へ送信するためのボタン画像である。メニュー表示リモコン信号は、映像表示装置６００の表示部６３０に、後述するメニュー画像を表示させるためのリモコン信号である。
【０１３７】
リモコン画像ＭＧ１００には、さらに、ボタン画像ＭＢＧ１４２，ＭＢＧ１４４，ＭＢＧ１５２，ＭＢＧ１５４が配置される。ボタン画像ＭＢＧ１４２，ＭＢＧ１４４，ＭＢＧ１５２，ＭＢＧ１５４の各々は、インターフェース操作Ｍにより、押下処理されることで、制御部５１０が、後述の対応するリモコン信号を、通信部５６０を利用して、映像表示装置６００へ送信するためのボタン画像である。
【０１３８】
ボタン画像ＭＢＧ１４２は、インターフェース操作Ｍにより、押下処理されることで、音量アップリモコン信号を、映像表示装置６００へ送信するためのボタン画像である。音量アップリモコン信号は、映像表示装置６００の音声出力部６７０から出力される音声を大きくさせるためのリモコン信号である。ボタン画像ＭＢＧ１４４は、インターフェース操作Ｍにより、押下処理されることで、音量ダウンリモコン信号を、映像表示装置６００へ送信するためのボタン画像である。音量ダウンリモコン信号は、映像表示装置６００の音声出力部６７０から出力される音声を小さくさせるためのリモコン信号である。
【０１３９】
ボタン画像ＭＢＧ１５２は、インターフェース操作Ｍにより、押下処理されることで、チャンネルプラスリモコン信号を、映像表示装置６００へ送信するためのボタン画像である。チャンネルプラスリモコン信号は、映像表示装置６００の表示部６３０にＴＶ画像が表示されている場合に、前述のリモコンチャンネル番号を１インクリメントさせるためのリモコン信号である。
【０１４０】
ボタン画像ＭＢＧ１５４は、インターフェース操作Ｍにより、押下処理されることで、チャンネルマイナスリモコン信号を、映像表示装置６００へ送信するためのボタン画像である。チャンネルマイナスリモコン信号は、映像表示装置６００の表示部６３０にＴＶ画像が表示されている場合に、前述のリモコンチャンネル番号を１デクリメントさせるためのリモコン信号である。
【０１４１】
リモコン画像ＭＧ１００には、さらに、ボタン画像ＭＢＧ１８０が配置される。ボタン画像ＭＢＧ１８０は、インターフェース操作Ｍにより、押下処理されることで、制御部５１０が、後述の対応するリモコン信号を、通信部５６０を利用して、映像表示装置６００へ送信するためのボタン画像である。
【０１４２】
以下においては、通信端末装置５００が、映像表示装置６００へリモコン信号を送信することで映像表示装置６００を操作可能な場合における、通信端末装置５００の動作モードを、リモコンモードともいう。
【０１４３】
（サイトの情報）
映像表示装置６００の記憶部６２０には、サービスを提供する複数種類のＷｅｂサイト（以下、サービスサイトともいう）の情報（以下、サイト情報ともいう）が予め記憶されている。ここで、サービスサイトが提供するサービスは、たとえば、コンテンツの配信である。配信されるコンテンツは、たとえば、動画像データ、地図データ、ニュース等の情報、スケジュール管理情報等である。
【０１４４】
具体的には、映像表示装置６００の記憶部６２０には、以下のサイト情報テーブルＤ１００が記憶されている。サイト情報テーブルＤ１００は、複数種類のサービスサイトにそれぞれ対応する複数のサイト情報から構成される。複数種類のサービスサイトは、サービスサーバ８００Ａが提供するＷｅｂサイトである。なお、複数種類のサービスサイトの各々は、異なる複数のサービスサーバがそれぞれ提供してもよい。
【０１４５】
図７は、一例としてのサイト情報テーブルＤ１００を示す図である。図７を参照して、サイト情報テーブルＤ１００は、複数のサイト情報から構成される。「番号」とは、複数のサイト情報の各々を管理するための番号である。「サイト名」とは、対応するサービスサイトの名称である。「ＵＲＬ」とは、対応するサービスサイトのＵＲＬである。
【０１４６】
（事前登録）
次に、映像表示装置６００が、サービスサイトに登録する処理（以下、登録処理ともいう）について説明する。サービスサイトが提供するデータは、サービスサーバ８００Ａの記憶部８２０に記憶されている。
【０１４７】
映像表示装置６００は、サービスサイトに登録することで、サービスサイトから、様々なサービスを享受することが可能となる。前述したように、図７のサイト情報テーブルＤ１００を構成する複数のサイト情報にそれぞれ対応する複数種類のサービスサイトは、サービスサーバ８００Ａが提供するＷｅｂサイトである。したがって、サービスサーバ８００Ａが提供するサービスサイトに登録することは、サービスサーバ８００Ａに対し登録することになる。
【０１４８】
前述のプログラム１８０Ａには、さらに、サービスサイトにアクセスするためのＷｅｂブラウザを表示部６３０に表示するためのＷｅｂブラウザプログラムが含まれる。以下の登録処理は、リモコンモードの通信端末装置５００におけるインターフェース操作Ｍにより、制御部６１０がプログラム１８０ＡのＷｅｂブラウザプログラムを実行した状態で行なわれるとする。これにより、表示部６３０には、以下のＷｅｂブラウザ画像Ｇ２００が表示されているとする。Ｗｅｂブラウザ画像Ｇ２００は、一例として、図７のサイト情報テーブルＤ１００における、番号“１”のサイト情報が示すＵＲＬのサービスサイトに登録する場合に、表示部６３０に表示される画像である。サイト情報テーブルＤ１００における、番号“１”のサイト情報が示すＵＲＬのサービスサイトは、サービスサーバ８００Ａが提供するサイトであるとする。
【０１４９】
図８は、一例としてのＷｅｂブラウザ画像Ｇ２００を示す図である。図８を参照して、Ｗｅｂブラウザ画像Ｇ２００には、ＵＲＬ表示画像Ｇ２１０と、Ｗｅｂページ画像Ｇ２２０と、ボタン画像ＢＧ２８１とが配置される。
【０１５０】
ＵＲＬ表示画像Ｇ２１０には、リモコンモードの通信端末装置５００におけるインターフェース操作Ｍにより、サービスサイトに登録するためのＷｅｂページのＵＲＬが入力されている。
【０１５１】
Ｗｅｂページ画像Ｇ２２０は、サービスサーバ８００Ａの提供するサービスサイト内にあるＷｅｂページである。Ｗｅｂページ画像Ｇ２２０は、サービスサイトに登録するためのＷｅｂページを表示した画像である。Ｗｅｂページ画像Ｇ２２０には、リモコンモードの通信端末装置５００におけるインターフェース操作Ｍにより、サービスサイトの登録に必要な情報が入力されている。サービスサイトの登録に必要な情報は、たとえば、名前、メールアドレス、性別等の情報である。
【０１５２】
Ｗｅｂページ画像Ｇ２２０には、ボタン画像ＢＧ２８５が配置されている。ボタン画像ＢＧ２８５は、押下処理されることにより、サービスサイトに登録する処理を許可するためのボタン画像である。ボタン画像ＢＧ２８５の押下処理は、リモコンモードの通信端末装置５００において、ボタン画像ＢＧ２８５を押下処理するためのインターフェース操作Ｍがあった場合に行なわれる。
【０１５３】
ボタン画像ＢＧ２８１は、押下処理されることにより、Ｗｅｂブラウザ画像Ｇ２００内に、現在、表示されているＷｅｂページ画像Ｇ２２０の前に、Ｗｅｂブラウザ画像Ｇ２００に表示されていたＷｅｂページ画像（以下、旧Ｗｅｂページ画像ともいう）が存在する場合、旧Ｗｅｂページ画像をＷｅｂブラウザ画像Ｇ２００に表示させるためのボタン画像である。ボタン画像ＢＧ２８１の押下処理は、リモコンモードの通信端末装置５００において、ボタン画像ＢＧ２８１を押下処理するためのインターフェース操作Ｍがあった場合に行なわれる。
【０１５４】
図９は、登録処理のフローチャートである。図９では、映像表示装置６００およびサービスサーバ８００Ａの各々において行なわれる処理を示す。図９を参照して、映像表示装置６００では、まず、ステップＳ１１０の処理が行なわれる。
【０１５５】
ステップＳ１１０では、制御部６１０が、登録許可操作があるか否かを判定する。登録許可操作とは、表示部６３０にＷｅｂブラウザ画像Ｇ２００が表示されている状態で、ボタン画像ＢＧ２８５を押下処理する操作である。リモコンモードの通信端末装置５００において、ボタン画像ＢＧ２８５を押下処理するためのインターフェース操作Ｍがあった場合、ボタン画像ＢＧ２８５を押下処理するためのリモコン信号が映像表示装置６００へ送信され、制御部６１０は、当該リモコン信号を受信する。この場合、制御部６１０は、ボタン画像ＢＧ２８５を押下処理し、登録許可操作があったと判定する。
【０１５６】
ステップＳ１１０において、ＹＥＳならば、ステップＳ１１２に進む。一方、ステップＳ１１０において、ＮＯならば、再度、ステップＳ１１０の処理が行なわれる。
【０１５７】
ステップＳ１１２では、制御部６１０が、登録情報を、サービスサーバ８００Ａへ送信する。登録情報には、たとえば、名前、メールアドレス、性別等の情報と、登録する映像表示装置の情報（たとえば、装置ＩＤ等）とが含まれる。その後、ステップＳ１１２の処理は終了する。
【０１５８】
サービスサーバ８００Ａでは、まず、ステップＳ１２０の処理が行なわれる。
ステップＳ１２０では、制御部８１０が、登録情報を受信したか否かを判定する。ステップＳ１２０において、ＹＥＳならば、ステップＳ１２２に進む。一方、ステップＳ１２０において、ＮＯならば、再度、ステップＳ１２０の処理が行なわれる。
【０１５９】
ステップＳ１２２では、制御部８１０が、ユーザ識別情報を、映像表示装置６００へ送信する。ユーザ識別情報は、映像表示装置６００を特定するための識別情報である。ユーザ識別情報は、たとえば、クッキーである。ステップＳ１２２の処理が終了すると、再度、ステップＳ１２０の処理が行なわれる。
【０１６０】
映像表示装置６００では、ステップＳ１１２の処理が終了すると、ステップＳ１１４に進む。
【０１６１】
ステップＳ１１４では、制御部６１０が、サービスサーバ８００Ａから送信されたユーザ識別情報を受信する。その後、ステップＳ１１６に進む。
【０１６２】
ステップＳ１１６では、制御部６１０が、受信したユーザ識別情報を、登録したサービスサイトのＵＲＬに対応づけて記憶部６２０に記憶させる。以上により、映像表示装置６００での処理は終了する。
【０１６３】
映像表示装置６００が、図７のサイト情報テーブルＤ１００に示される複数種類のサービスサイトに対し、前述した登録処理を行なうことで、記憶部６２０には、以下のユーザ識別情報登録テーブルＤ１１０が記憶される。
【０１６４】
図１０は、一例としてユーザ識別情報登録テーブルＤ１１０を示す図である。図１０を参照して、ユーザ識別情報登録テーブルＤ１１０は、複数のユーザ識別情報登録データから構成される。「番号」とは、複数のユーザ識別情報登録データを管理するための番号である。「ＵＲＬ」とは、登録したサービスサイトのＵＲＬである。「ユーザ識別情報」とは、登録したサービスサイトから受信したユーザ識別情報（たとえば、クッキー）である。
【０１６５】
（サービスを利用するための設定処理）
次に、サービスサイトのサービスを利用するために、事前に行なわれる設定処理（以下、サービス利用設定処理ともいう）について説明する。なお、通信端末装置５００は、リモコンモードであり、表示部５３０には、図６のリモコン画像ＭＧ１００が表示されているとする。
【０１６６】
図１１は、サービス利用設定処理のフローチャートである。図１１では、通信端末装置５００、映像表示装置６００およびサービスサーバ８００Ａの各々において行なわれる処理を示す。図１１を参照して、通信端末装置５００では、まず、ステップＳ２１０の処理が行なわれる。
【０１６７】
ステップＳ２１０では、制御部５１０が、サービス利用初期設定操作があるか否かを判定する。サービス利用初期設定操作は、リモコン画像ＭＧ１００内のボタン画像ＭＢＧ１８０を押下処理するためのインターフェース操作Ｍである。ステップＳ２１０において、ＹＥＳならば、ステップＳ２１２に進む。一方、ステップＳ２１０において、ＮＯならば、再度、ステップＳ２１０の処理が行なわれる。
【０１６８】
ステップＳ２１２では、制御部５１０が、リモコン信号としてのサービス利用初期設定指示を、映像表示装置６００へ送信する。送信されるサービス利用初期設定指示には、通信端末装置５００の装置ＩＤが含まれる。ここで、装置ＩＤとは、装置を識別するための情報（以下、装置識別情報ともいう）である。通信端末装置５００の装置ＩＤは、一例として、“１１ＭＡ”であるとする。そして、ステップＳ２１２の処理は終了する。
【０１６９】
映像表示装置６００では、まず、ステップＳ２４００の処理が行なわれる。
ステップＳ２４０では、制御部６１０が、リモコン信号としてのサービス利用初期設定指示を、受信したか否かを判定する。ステップＳ２４０において、ＹＥＳならば、ステップＳ２４２に進む。一方、ステップＳ２４０において、ＮＯならば、再度、ステップＳ２４０の処理が行なわれる。
【０１７０】
ステップＳ２４２では、サービス利用情報取得処理Ｔが行なわれる。サービス利用情報取得処理Ｔでは、制御部６１０が、サービス利用情報取得要求Ｔを、サービスサーバ８００Ａへ送信する。サービス利用情報取得要求Ｔは、図７のサイト情報テーブルＤ１００に示される複数のサービスサイトがそれぞれ提供する複数のサービスを利用するのに必要なサービス利用情報を取得するための要求である。前述したように、サイト情報テーブルＤ１００に示される複数のサービスサイトは、サービスサーバ８００Ａが提供するＷｅｂサイトである。
【０１７１】
サービスサーバ８００Ａでは、まず、ステップＳ２８０の処理が行なわれる。
ステップＳ２８０では、制御部８１０が、サービス利用情報取得要求Ｔを受信したか否かを判定する。ステップＳ２８０において、ＹＥＳならば、ステップＳ２８２に進む。一方、ステップＳ２８０において、ＮＯならば、再度、ステップＳ２８０の処理が行なわれる。
【０１７２】
ステップＳ２８２では、制御部８１０が、サービス利用情報を含む、以下のサービス利用データテーブルＤ２００を、サービス利用情報取得要求Ｔを送信した映像表示装置６００へ送信する。その後、ステップＳ２８２の処理は終了し、再度、ステップＳ２８０の処理が行なわれる。
【０１７３】
図１２は、一例としてのサービス利用データテーブルＤ２００を示す図である。図１２を参照して、サービス利用データテーブルＤ２００は、複数のサービス利用データから構成される。「番号」とは、複数のサービス利用データの各々を管理するための番号である。「サイト名」、「ＵＲＬ」は、図７のサイト情報テーブルＤ１００で説明したのと同様なので詳細な説明は繰り返さない。
【０１７４】
「サービス名」とは、対応するサービスサイトが提供するサービスの名称である。「パラメータ１，２，３，・・・」とは、対応するサービスサイトが、後述する処理により、対応するサービスを提供する際に必要なパラメータである。すなわち、当該パラメータが、前述のサービス利用情報である。
【０１７５】
なお、サービス利用データテーブルＤ２００には表示されてないが、サービスを利用するためのパラメータは、たとえば、静止画像であってもよい。
【０１７６】
再び、図１１を参照して、映像表示装置６００では、ステップＳ２４２のサービス利用情報取得処理Ｔにおいて、制御部６１０が、サービス利用データテーブルＤ２００を受信する。制御部６１０は、サービス利用データテーブルＤ２００を受信すると、サービス利用データテーブルＤ２００を記憶部６２０に記憶させる。そして、ステップＳ２４３に進む。
【０１７７】
ステップＳ２４３では、制御テーブル生成処理が行なわれる。制御テーブル生成処理では、制御部６１０が、サービス利用データテーブルＤ２００に示されるパラメータの内容に基づいて、以下の制御テーブルＤ２１０を生成し、生成した制御テーブルＤ２１０を、記憶部６２０に記憶させる。そして、ステップＳ２４３の処理は終了する。
【０１７８】
図１３は、一例としての制御テーブルＤ２１０を示す図である。図１３を参照して、制御テーブルＤ２１０は、複数の制御データから構成される。「番号」とは、複数の制御データの各々を管理するための番号である。「サイト名」、「サービス名」は、図７のサイト情報テーブルＤ１００、図１２のサービス利用データテーブルＤ２００で説明したのと同様なので詳細な説明は繰り返さない。
【０１７９】
「パラメータＡ」とは、制御部６１０が、サービス利用データテーブルＤ２００に示されるパラメータの内容に基づいて生成したパラメータである。
【０１８０】
たとえば、サービス利用データテーブルＤ２００において、番号“１”のサービス利用データが示すパラメータ１，２，３は、ジャンル、日時、キーワードである。ジャンル、日時、キーワードは、テキストであるので、制御部６１０は、制御テーブルＤ２１０において、番号“１”のサービス利用データが示すサイト名「ＢＢサイト」に対応するパラメータＡを、「テキスト」に設定する。なお、サービス利用データテーブルＤ２００において、あるサービス利用データが示す複数のパラメータが、２つ以上のもの（たとえば、テキスト、画像等）を示す場合、制御テーブルＤ２１０において、複数のパラメータ（たとえば、テキスト、画像等）が設定される。
【０１８１】
再び、図１１を参照して、ステップＳ２４３の処理の後、ステップＳ２４４に進む。
ステップＳ２４４では、処理設定テーブル生成処理が行なわれる。処理設定テーブル生成処理では、制御部６１０が、図１３の制御テーブルＤ２１０に示されるパラメータから、図１２のサービス利用データテーブルＤ２００に示されるパラメータ１，２，３，・・・を生成するための処理を設定した、以下の処理設定テーブルＤ２２０を生成する。そして、制御部６１０は、生成した処理設定テーブルＤ２２０を、記憶部６２０に記憶させる。そして、ステップＳ２４４の処理は終了する。
【０１８２】
図１４は、一例としての処理設定テーブルＤ２２０を示す図である。図１４を参照して、処理設定テーブルＤ２２０は、複数の処理設定データから構成される。「番号」とは、複数の処理設定データの各々を管理するための番号である。「サイト名」、「サービス名」は、図７のサイト情報テーブルＤ１００、図１２のサービス利用データテーブルＤ２００で説明したのと同様なので詳細な説明は繰り返さない。
【０１８３】
「処理データ」とは、制御部６１０が、処理の対象とするデータである。「処理Ａ」，「処理Ｂ」，「処理Ｃ」，・・・は、対応する処理データに対して、制御部６１０が行なう処理である。たとえば、処理設定テーブルＤ２２０において、番号“１”の処理設定データは、処理データとしてのテキストデータに対し、ジャンル抽出、日時抽出、キーワード抽出といった処理を行なう。これらの処理により、サービス利用データテーブルＤ２００の番号“１”のサービス利用データに示されるパラメータ１，２，３にそれぞれ対応するジャンル、日時、キーワードが生成される。
【０１８４】
再び、図１１を参照して、ステップＳ２４４の処理の後、ステップＳ２４５に進む。
ステップＳ２４５では、操作情報設定テーブル生成処理が行なわれる。操作情報設定テーブル生成処理では、制御部６１０が、記憶部６２０に予め記憶されている、以下の操作情報データテーブルＤ３００を利用した、後述する処理を行なう。
【０１８５】
図１５は、一例としての操作情報データテーブルＤ３００を示す図である。図１５を参照して、操作情報データテーブルＤ３００において、「操作部名」とは、通信端末装置５００の操作部の名称である。通信端末装置５００の方向ボタン５４１Ａ，５４１Ｂ，５４１Ｃ，５４１Ｄの操作部名は、それぞれ、「上方向ボタン」、「下方向ボタン」、「左方向ボタン」、「右方向ボタン」であるとする。また、通信端末装置５００の決定ボタン５４１Ｅの操作部名は、「決定ボタン」であるとする。
【０１８６】
また、通信端末装置５００の機能ボタン５４２Ａ，５４２Ｂ，５４３Ａ，５４３Ｂの操作部名は、それぞれ、「機能１ボタン」、「機能２ボタン」、「機能３ボタン」、「機能４ボタン」であるとする。
【０１８７】
操作情報データテーブルＤ３００において、「操作ＩＤ」とは、操作情報を特定するためのＩＤである。操作情報は、対応するボタンが押下された場合に、制御部６１０が行なう処理の情報である。たとえば、操作ＩＤ“ＣＴ１”により特定される操作情報は、決定ボタンが押下された場合、制御部６１０が、コンテンツの再生を開始することを示す。なお、操作ＩＤ“ＣＴ１”は、動画、音楽等のコンテンツの再生制御を行なう場合に使用される操作情報を特定するＩＤである。操作ＩＤ“ＣＴ２”は、テキスト、静止画等のコンテンツの制御を行なう場合に使用される操作情報を特定するＩＤである。
【０１８８】
再び、図１１を参照して、ステップＳ２４５の操作情報設定テーブル生成処理では、制御部６１０が、図１２のサービス利用データテーブルＤ２００に示される複数のサービスサイトの各々と、複数のサービス名の各々とに、操作情報データテーブルＤ３００に示される、操作ＩＤにより特定される操作情報を対応づけた、以下の操作情報設定テーブルＤ１２０を生成する。そして、制御部６１０は、生成した操作情報設定テーブルＤ１２０を記憶部６２０に記憶させる。そして、ステップ２４５の処理は終了する。
【０１８９】
図１６は、一例としての操作情報設定テーブルＤ１２０を示す図である。図１６を参照して、操作情報設定テーブルＤ１２０は、複数の操作情報設定データから構成される。「番号」とは、複数の操作情報設定データの各々を管理するための番号である。「操作ＩＤ］とは、操作情報データテーブルＤ３００に示される操作ＩＤである。複数のサービスサイトの各々に対応付けられる操作情報は、サービスサイトが提供するサービスに基づいて設定される。
【０１９０】
たとえば、操作情報設定テーブルＤ１２０において、番号“１”に示される、サービスサイトとしての「ＢＢサイト」は、動画配信のサービスを行なう。そのため、「ＢＢサイト」には、動画の再生制御を行なうための操作情報を特定するための操作ＩＤ“ＣＴ１”が設定される。また、たとえば、操作情報設定テーブルＤ１２０において、番号“２”に示される、サービスサイトとしての「ＣＣサイト」は、地図表示のサービスを行なう。地図表示は、静止画像により行なわれる。そのため、「ＣＣサイト」には、Ｗｅｂブラウザを利用して、静止画像の制御を行なうための操作情報を特定するための操作ＩＤ“ＣＴ２”が設定される。なお、静止画像の制御は、Ｗｅｂブラウザを利用しなくてもよい。
【０１９１】
再び、図１１を参照して、ステップＳ２４５の処理の後、ステップＳ２４７に進む。
ステップＳ２４７では、制御部６１０が、図１３の制御テーブルＤ２１０を、サービス利用初期設定指示に含まれる装置ＩＤの通信端末装置５００へ送信する。ここで、装置ＩＤは、“１１ＭＡ”であるとする。そして、ステップＳ２４７の処理は終了する。
【０１９２】
通信端末装置５００では、ステップＳ２１２の処理の後、ステップＳ２１４に進む。
ステップＳ２１４では、制御部５１０が、制御テーブルを受信したか否かを判定する。ステップＳ２１４において、ＹＥＳならば、ステップＳ２１６に進む。一方、ステップＳ２１４において、ＮＯならば、再度、ステップＳ２１４の処理が行なわれる。ここでは、制御テーブルＤ２１０を受信したとして、ステップＳ２１６に進む。
【０１９３】
ステップＳ２１６では、制御部５１０が、受信した制御テーブルＤ２１０を、記憶部５２０に記憶させる。そして、サービス利用設定処理における、通信端末装置５００での処理は終了する。
【０１９４】
映像表示装置６００では、ステップＳ２４７の処理の後、ステップＳ２４９に進む。
ステップＳ２４９では、送信装置管理処理が行なわれる。送信装置管理処理では、制御部６１０が、制御テーブルＤ２１０を送信した装置（通信端末装置５００）の装置ＩＤ（“１１ＭＡ”）を、記憶部６２０に記憶させる。これにより、制御部６１０は、記憶部６２０に記憶された装置ＩＤの装置から送信されるデータ（リモコン信号等）にのみ、対応する処理を行なう。以下においては、記憶部６２０に記憶された装置ＩＤの装置を、操作許可装置ともいう。そして、サービス利用設定処理における、映像表示装置６００での処理は終了する。
【０１９５】
（コンテンツの取得）
次に、通信端末装置５００がコンテンツとしての情報を取得し、当該コンテンツに関連するコンテンツを、サービスサイトから取得するための処理（以下、コンテンツ取得処理ともいう）について説明する。通信端末装置５００では、制御部５１０が、前述した、Ｗｅｂブラウザプログラムを実行しているとする。
【０１９６】
図１７は、コンテンツ取得処理のフローチャートである。図１７では、通信端末装置５００、映像表示装置６００およびサービスサーバ８００Ａの各々において行なわれる処理を示す。通信端末装置５００では、まず、ステップＳ３１１の処理が行なわれる。
【０１９７】
ステップＳ３１１では、制御部５１０が、コンテンツ取得操作があるか否かを判定する。コンテンツ取得操作は、インターネット（ネットワーク７０）から、コンテンツを取得するためのインターフェース操作Ｍである。ステップＳ３１１において、ＹＥＳならば、ステップＳ３１２に進む。一方、ステップＳ３１１において、ＮＯならば、再度、ステップＳ３１１の処理が行なわれる。
【０１９８】
ここでは、ＲＳＳ（RDF（Resource Description Framework） Site Summary）データを取得するためのコンテンツ取得操作があったとして、ステップＳ３１２に進む。コンテンツ取得操作は、たとえば、表示部５３０に表示されているＷｅｂブラウザに表示されるＲＳＳデータを取得するためのボタンを押下する操作であるとする。
【０１９９】
ステップＳ３１２では、コンテンツ取得処理Ｍが行なわれる。コンテンツ取得処理Ｍでは、制御部５１０が、インターネット（ネットワーク７０）から、コンテンツ取得操作に応じたコンテンツを受信する。ここで、コンテンツ取得操作は、ＲＳＳデータを取得するための操作である。この場合、制御部５１０が、受信するコンテンツは、ＲＳＳデータである。受信したＲＳＳデータは、以下の情報データＤ１０を示すデータであるとする。
【０２００】
図１８は、一例としての情報データＤ１０を示す図である。図１８を参照して、情報データＤ１０において、「日時」とは、データを受信した日時である。「ジャンル」とは、受信したデータが示す情報のジャンルを示す。「内容」とは、受信したデータが示す情報である。
【０２０１】
再び、図１７を参照して、ステップＳ３１２のコンテンツ取得処理Ｍでは、制御部５１０が、ＶＤＰ５３２を利用して、受信したＲＳＳデータに基づく情報を表示したコンテンツ表示画像を生成し、生成したコンテンツ表示画像を、表示部５３０に表示させる処理を行なう。ここで、受信したＲＳＳデータは、図１８の情報データＤ１０を示すデータであるとする。この場合、生成されるコンテンツ表示画像は、以下のコンテンツ表示画像ＭＧ２００である。そして、ステップＳ３１２の処理は終了する。
【０２０２】
図１９は、一例としてのコンテンツ表示画像ＭＧ２００を示す図である。
再び、図１７を参照して、ステップＳ３１２の処理の後、ステップＳ３１３に進む。
【０２０３】
ステップＳ３１３では、処理リスト画像表示処理Ｍが行なわれる。処理リスト画像表示処理Ｍでは、制御部５１０が、ＶＤＰ５３２を利用して、図１３の制御テーブルＤ２１０に基づいて、以下のサービスリスト画像ＭＬＧ１００を生成し、表示部５３０に表示されている画像の前面に表示させる処理を行なわれる。この処理により、表示部５３０には、以下のコンテンツ表示画像ＭＧ２００Ａが表示される。そして、ステップＳ３１３の処理は終了する。
【０２０４】
図２０は、一例としてのコンテンツ表示画像ＭＧ２００Ａを示す図である。図２０を参照して、コンテンツ表示画像ＭＧ２００Ａは、図１９のコンテンツ表示画像ＭＧ２００と比較して、サービスリスト画像ＭＬＧ１００がさらに表示されている点が異なる。それ以外は、コンテンツ表示画像ＭＧ２００と同様なので詳細な説明は繰り返さない。サービスリスト画像ＭＬＧ１００は、図１３の制御テーブルＤ２１０に示されるサービス名のリストを表示した画像である。
【０２０５】
再び、図１７を参照して、ステップＳ３１３の処理の後、ステップＳ３１４に進む。
ステップＳ３１４では、制御部５１０が、サービス選択操作があるか否かを判定する。サービス選択操作は、サービスリスト画像ＭＬＧ１００に表示されている複数のサービス名のいずれかを選択するためのインターフェース操作Ｍである。ステップＳ３１４において、ＹＥＳならば、制御部５１０が、ＶＤＰ５３２を利用して、サービスリスト画像ＭＬＧ１００を、表示部５３０から消去して、ステップＳ３１５に進む。この場合、表示部５３０には、図１９のコンテンツ表示画像ＭＧ２００が表示されることになる。
【０２０６】
一方、ステップＳ３１４において、ＮＯならば、再度、ステップＳ３１４の処理が行なわれる。ここでは、サービスリスト画像ＭＬＧ１００に表示されている「動画配信」というサービス名を選択するサービス選択操作があったとして、ステップＳ３１５に進む。
【０２０７】
ステップＳ３１５では、制御部５１０が、選択サービス情報を、映像表示装置６００へ送信する。送信される選択サービス情報は、サービス選択操作により選択されたサービス名と、コンテンツ取得処理Ｍにより取得したコンテンツデータのうち、図１３の制御テーブルＤ２１０において、当該サービス名に対応するパラメータデータとを含む。
【０２０８】
ここで、サービス選択操作により選択されたサービス名は「動画配信」であるとする。この場合、制御テーブルＤ２１０において、サービス名「動画配信」に対応するパラメータデータは、テキストデータである。また、コンテンツ取得処理Ｍにより取得したコンテンツデータは、図１８の情報データＤ１０を示すテキストデータとしてのＲＳＳデータである。したがって、選択サービス情報に含まれるパラメータデータは、図１８の情報データＤ１０を示すテキストデータとしてのＲＳＳデータとなる。そして、ステップＳ３１５の処理は終了する。ここで、選択サービス情報を送信する通信端末装置５００は、前述した操作許可装置であるとする。
【０２０９】
映像表示装置６００では、まず、ステップＳ３４１の処理が行なわれる。
ステップＳ３４１では、制御部６１０が、前述した操作許可装置（通信端末装置５００）から送信された選択サービス情報を受信したか否かを判定する。ステップＳ３４１において、ＹＥＳならば、ステップＳ３４２に進む。一方、ステップＳ３４１において、ＮＯならば、再度、ステップＳ３４１の処理が行なわれる。
【０２１０】
ステップＳ３４２では、データ解析処理Ｔが行なわれる。データ解析処理Ｔでは、制御部６１０が、図１４の処理設定テーブルＤ２２０において、受信した選択サービス情報に含まれるサービス名に対応する処理を、受信した選択サービス情報に含まれるパラメータデータに対して行なう。ここで、受信した選択サービス情報に含まれるサービス名は、「動画配信」である。また、受信した選択サービス情報に含まれるパラメータデータは、図１８の情報データＤ１０を示すテキストデータとしてのＲＳＳデータであるとする。
【０２１１】
この場合、制御部６１０は、処理設定テーブルＤ２２０において、受信した選択サービス情報に含まれるサービス名「動画配信」に対応する、ジャンル抽出、日時抽出、キーワード抽出といった処理を、受信した選択サービス情報に含まれるパラメータデータ（コンテンツデータ）としてのＲＳＳデータ（図１８の情報データＤ１０）に対して行なう。
【０２１２】
ジャンル抽出の処理により、図１２のサービス利用データテーブルＤ２００に示される、パラメータ１の「ジャンル」として、「ニュース」が抽出される。日時抽出の処理により、サービス利用データテーブルＤ２００に示される、パラメータ２の「日時」として、「２００６年１０月２７日」が抽出される。
【０２１３】
キーワード抽出の処理では、処理対象となるテキストから、助詞等を除いた単語を抽出する処理が行なわれる。したがって、「処理対象となるテキスト」が、たとえば、図１８の情報データＤ１０が示す「サッカーのＳリーグにおいて、Ｔチームが優勝」という文字列を示す場合、抽出されるキーワードは、たとえば、「サッカー」、「Ｓリーグ」、「Ｔチーム」、「優勝」となる。抽出された「サッカー」、「Ｓリーグ」、「Ｔチーム」、「優勝」というキーワードは、サービス利用データテーブルＤ２００に示される、パラメータ３の「キーワード」に対応する。そして、ステップＳ３４２の処理は終了し、ステップＳ３４３に進む。
【０２１４】
ステップＳ３４３では、コンテンツ確認処理Ｔが行なわれる。コンテンツ確認処理Ｔでは、制御部６１０が、コンテンツ確認要求Ｔを、図１２のサービス利用データテーブルＤ２００において、受信した選択サービス情報に含まれるサービス名に対応するサービスサイトへ送信する。ここで、受信した選択サービス情報に含まれるサービス名は、「動画配信」である。したがって、コンテンツ確認要求Ｔが送信されるサービスサイトは、サイト名が、「ＢＢサイト」のサービスサイトである。前述したように、サイト情報テーブルＤ１００に示される複数のサービスサイトは、サービスサーバ８００Ａが提供するＷｅｂサイトである。したがって、コンテンツ確認要求Ｔは、サービスサーバ８００Ａへ送信される。
【０２１５】
送信されるコンテンツ確認要求Ｔには、サービスサイトのサイト名（ＢＢサイト）と、サービスサイトのＵＲＬ（http://www.bb.com/）と、当該サービスサイトのＵＲＬ（http://www.bb.com/）に対応するユーザ識別情報（ｂｂｋｋ）（図１０参照）と、ステップＳ３４２のデータ解析処理Ｔにおいて解析されたパラメータとが含まれる。ここで、送信されるコンテンツ確認要求Ｔに含まれるパラメータは、パラメータ１の「ジャンル」（ニュース）と、パラメータ２の「日時」（２００６年１０月２７日）と、パラメータ３の「キーワード」（「サッカー」、「Ｓリーグ」、「Ｔチーム」、「優勝」）とを含むとする。
【０２１６】
コンテンツ確認要求Ｔは、コンテンツ確認要求Ｔに含まれるパラメータにより特定されるコンテンツの存在の有無を確認するための要求である。
【０２１７】
サービスサーバ８００Ａでは、まず、ステップＳ３８１の処理が行なわれる。
ステップＳ３８１では、制御部８１０が、コンテンツ確認要求Ｔを受信したか否かを判定する。ステップＳ３８１において、ＹＥＳならば、ステップＳ３８４に進む。一方、ステップＳ３８１において、ＮＯならば、再度、ステップＳ３８１の処理が行なわれる。ここでは、コンテンツ確認要求Ｔを受信したとして、ステップＳ３８４に進む。
【０２１８】
受信したコンテンツ確認要求Ｔには、サービスサイトのサイト名（ＢＢサイト）と、サービスサイトのＵＲＬ（http://www.bb.com/）と、当該サービスサイトのＵＲＬ（http://www.bb.com/）に対応するユーザ識別情報（ｂｂｋｋ）と、ステップＳ３４２のデータ解析処理Ｔにおいて解析されたパラメータとが含まれる。ここで、コンテンツ確認要求Ｔに含まれるパラメータは、パラメータ１の「ジャンル」（ニュース）と、パラメータ２の「日時」（２００６年１０月２７日）と、パラメータ３の「キーワード」（「サッカー」、「Ｓリーグ」、「Ｔチーム」、「優勝」）とが含まれるとする。
【０２１９】
ステップＳ３８４では、制御部８１０が、コンテンツ確認要求Ｔに含まれるユーザ識別情報が、コンテンツ確認要求Ｔに含まれるサービスサイトのＵＲＬに対応し、かつ、コンテンツ確認要求Ｔに含まれるユーザ識別情報が、前述の図９のステップＳ１２２の処理により自装置が発行したユーザ識別情報であるか否かを判定する。ステップＳ３８４において、ＹＥＳならば、認証成功として、ステップＳ３８６に進む。一方、ステップＳ３８４において、ＮＯならば、再度、ステップＳ３８１の処理が行なわれる。
【０２２０】
ここで、コンテンツ確認要求Ｔに含まれるユーザ識別情報は、“ｂｂｋｋ”である。コンテンツ確認要求Ｔに含まれるサービスサイトのＵＲＬは、“http://www.bb.com/”である。したがって、コンテンツ確認要求Ｔに含まれるユーザ識別情報が、コンテンツ確認要求Ｔに含まれるサービスサイトのＵＲＬに対応する。また、コンテンツ確認要求Ｔに含まれるユーザ識別情報“ｂｂｋｋ”は、自装置が発行したユーザ識別情報である。したがって、認証成功と判定されて、ステップＳ３８６に進む。
【０２２１】
ステップＳ３８６では、コンテンツデータ検索処理が行なわれる。コンテンツデータ検索処理では、制御部８１０が、コンテンツ確認要求Ｔに含まれるパラメータに基づいて、コンテンツ確認要求Ｔに含まれるサイト名のサービスサイトが提供可能な複数のコンテンツデータのうち、該当するコンテンツデータを検索する。ここで、コンテンツ確認要求Ｔに含まれるサイト名は、「ＢＢサイト」である。サイト名が「ＢＢサイト」のサービスサイトは、動画配信を行なうサイトである。したがって、サイト名が「ＢＢサイト」のサービスサイトが提供可能な複数のコンテンツデータは、動画データであり、記憶部８２０に記憶されている。
【０２２２】
具体的には、制御部８１０は、コンテンツ確認要求Ｔに含まれる、パラメータ１の「ジャンル」（ニュース）と、パラメータ２の「日時」（２００６年１０月２７日）と、パラメータ３の「キーワード」（「サッカー」、「Ｓリーグ」、「Ｔチーム」、「優勝」）とで特定されるコンテンツデータが記憶部８２０に記憶されているか否かを判定する。
【０２２３】
記憶部８２０に、たとえば、ジャンルが「ニュース」のコンテンツデータであり、かつ、配信可能日時が「２００６年１０月２７日」のコンテンツデータであり、かつ、「サッカー」、「Ｓリーグ」、「Ｔチーム」および「優勝」のうち、たとえば、「Ｔチーム」および「優勝」のキーワードを含むタイトルのコンテンツデータが記憶されている場合、当該コンテンツデータが、コンテンツ確認要求Ｔに含まれるパラメータにより特定されるコンテンツデータ（以下、存在確認コンテンツデータともいう）となる。この場合、存在確認コンテンツデータは、たとえば、Ｔチームの試合状況、優勝時の状況等を撮影した動画像である。
【０２２４】
存在確認コンテンツデータが、記憶部８２０に記憶されている場合、制御部８１０は、存在確認コンテンツデータありと判定する。一方、要求コンテンツデータが、記憶部８２０に記憶されていない場合、制御部８１０は、存在確認コンテンツデータなしと判定する。そして、ステップＳ３８７に進む。
【０２２５】
ステップＳ３８７では、制御部８１０が、検索結果データを映像表示装置６００へ送信する。検索結果データは、ステップＳ３８６のコンテンツデータ検索処理により判定された存在確認コンテンツデータの存在の有無を示すデータである。検索結果データが送信されると、ステップＳ３８７の処理は終了し、再度、ステップＳ３８１の処理が行なわれる。
【０２２６】
ここで、送信される検索結果データは、以下の検索結果データＤ４００であるとする。検索結果データＤ４００は、ステップＳ３８６のコンテンツデータ検索処理により存在確認コンテンツデータありと判定された場合に送信されるデータである。
【０２２７】
図２１は、一例としての検索結果データＤ４００を示す図である。図２１を参照して、「サイト名」は、ステップＳ３４３の処理でコンテンツ確認処理Ｔが送信されたサービスサイトの名称である。「ＵＲＬ」は、ステップＳ３４３の処理でコンテンツ確認処理Ｔが送信されたサービスサイトのＵＲＬである。「検索結果」は、ステップＳ３８６のコンテンツデータ検索処理により判定された存在確認コンテンツデータの存在の有無を示す。なお、コンテンツデータ検索処理により、存在確認コンテンツデータがないと判定された場合、「検索結果」の項目には、「コンテンツデータなし」と記述される。
【０２２８】
「コンテンツＩＤ」とは、存在確認コンテンツデータを特定するためのＩＤである。なお、コンテンツデータ検索処理により、存在確認コンテンツデータがないと判定された場合、「コンテンツＩＤ」の項目にコンテンツＩＤは記述されない。なお、コンテンツＩＤは、コンテンツのＵＲＬであってもよい。「禁止操作」とは、存在確認コンテンツデータを表示制御する際に禁止されている操作を示す。
【０２２９】
再び、図１７を参照して、映像表示装置６００では、ステップＳ３４３のコンテンツ確認処理Ｔにおいて、制御部６１０が、検索結果データを受信し、受信した検索結果データを、記憶部６２０に記憶させる。ここで、受信した検索結果データは、検索結果データＤ４００であるとする。そして、ステップＳ３４４に進む。
【０２３０】
ステップＳ３４４では、制御部６１０が、検索結果データを、通信端末装置５００へ送信する。ここで、送信される検索結果データは、検索結果データＤ４００であるとする。そして、ステップＳ３４４の処理は終了する。
【０２３１】
通信端末装置５００では、ステップＳ３１５の処理の後、ステップＳ３１６に進む。
ステップＳ３１６では、制御部５１０が、検索結果データを受信したか否かを判定する。ステップＳ３１６において、ＹＥＳならば、ステップＳ３１７に進む。一方、ステップＳ３１６において、ＮＯならば、再度、ステップＳ３１６の処理が行なわれる。ここでは、検索結果データＤ４００を受信したとして、ステップＳ３１７に進む。
【０２３２】
ステップＳ３１７では、制御部５１０が、受信した検索結果データを、記憶部５２０に記憶させる。ここでは、記憶部５２０に検索結果データＤ４００が記憶されるとする。そして、ステップＳ３１７の処理は終了する。
【０２３３】
映像表示装置６００では、ステップＳ３４４の処理の後、ステップＳ３４５に進む。
ステップＳ３４５では、存在確認コンテンツデータがあるか否かが判定される。具体的には、制御部６１０が、受信した検索結果データを参照して、検索結果の項目に「コンテンツデータあり」と記述されているか否かを判定する。ステップＳ３４５において、ＹＥＳならば、ステップＳ３４６に進む。一方、ステップＳ３４５において、ＮＯならば、コンテンツ取得処理における映像表示装置６００の処理は終了する。
【０２３４】
ここでは、図２１の検索結果データＤ４００を受信したとする。したがって、検索結果データＤ４００の検索結果の項目に「コンテンツデータあり」と記述されているので、ステップＳ３４６に進む。
【０２３５】
ステップＳ３４６では、コンテンツ制御データ送信処理が行なわれる。コンテンツ制御データ送信処理では、まず、制御部６１０が、図１６の操作情報設定テーブルＤ１２０において、受信した選択サービス情報に含まれるサービス名に対応づけられている操作ＩＤを特定する。
【０２３６】
ここで、受信した選択サービス情報に含まれるサービス名は、「動画配信」であるとする。この場合、特定される操作ＩＤは、“ＣＴ１”となる。そして、制御部６１０は、図１５の操作情報データテーブルＤ３００において、特定された操作ＩＤ（“ＣＴ１”）の操作情報を示した、以下のコンテンツ制御データを、通信端末装置５００へ送信する。コンテンツ制御データは、存在確認コンテンツデータの表示制御を行なうためのデータである。送信されるコンテンツ制御データは、以下のコンテンツ制御データＤ５００であるとする。そして、ステップＳ３４６の処理は終了する。
【０２３７】
図２２は、一例としてのコンテンツ制御データＤ５００を示す図である。図２２を参照して、コンテンツ制御データＤ５００は、図１５の操作情報データテーブルＤ３００と比較して、操作ＩＤの項目が「処理」となっている点が異なる。それ以外は、操作情報データテーブルＤ３００と同様なので詳細な説明は繰り返さない。「処理」とは、対応するボタンが押下された場合に、制御部６１０が行なう処理の情報である。
【０２３８】
再び、図１７を参照して、通信端末装置５００では、ステップＳ３１７の処理の後、ステップＳ３１８に進む。
【０２３９】
ステップＳ３１８では、存在確認コンテンツデータがあるか否かが判定される。具体的には、制御部５１０が、受信した検索結果データを参照して、検索結果の項目に「コンテンツデータあり」と記述されているか否かを判定する。ステップＳ３１８において、ＹＥＳならば、ステップＳ３２０に進む。一方、ステップＳ３１８において、ＮＯならば、コンテンツ取得処理における通信端末装置５００の処理は終了する。
【０２４０】
ここでは、図２１の検索結果データＤ４００を受信したとする。したがって、検索結果データＤ４００の検索結果の項目に「コンテンツデータあり」と記述されているので、ステップＳ３２０に進む。
【０２４１】
ステップＳ３２０では、制御部５１０が、コンテンツ制御データを受信したか否かを判定する。ステップＳ３２０において、ＹＥＳならば、ステップＳ３２１に進む。ステップＳ３２０において、ＮＯならば、再度、ステップＳ３２０の処理が行なわれる。ここでは、図２２のコンテンツ制御データＤ５００を受信したとして、ステップＳ３２１に進む。
【０２４２】
ステップＳ３２１では、制御部５１０が、受信したコンテンツ制御データを、記憶部５２０に記憶させる。ここでは、コンテンツ制御データＤ５００を受信したとする。したがって、記憶部５２０には、コンテンツ制御データＤ５００が記憶される。そして、ステップＳ３２８に進む。
【０２４３】
ステップＳ３２８では、制御部５１０が、コンテンツ制御処理Ｍを実行する。コンテンツ制御処理Ｍは、他の処理とは独立して行なわれる処理である。そして、コンテンツ取得処理における通信端末装置５００の処理は終了する。
【０２４４】
映像表示装置６００では、ステップＳ３４６の処理の後、ステップＳ３４８に進む。
ステップＳ３４８では、制御部６１０が、コンテンツ制御処理Ｔを実行する。コンテンツ制御処理Ｔは、他の処理とは独立して行なわれる処理である。そして、コンテンツ取得処理における映像表示装置６００の処理は終了する。
【０２４５】
図２３は、コンテンツ制御処理Ｍ、コンテンツ制御処理Ｔおよびサービスサーバ８００Ａで行なわれる処理のフローチャートである。図２３を参照して、通信端末装置５００が行なうコンテンツ制御処理Ｍでは、まず、ステップＳ４１１の処理が行なわれる。
【０２４６】
ステップＳ４１１では、制御部５１０が、通信端末装置５００をリモコンモードに設定する。そして、ステップＳ４１２に進む。
【０２４７】
ステップＳ４１２では、制御部５１０が、コンテンツ取得要求としてのコンテンツ取得リモコン信号を、映像表示装置６００へ送信する。送信されるコンテンツ取得リモコン信号は、記憶部５２０に記憶されている検索結果データに示されるコンテンツＩＤを含む。この場合、コンテンツ取得リモコン信号は、コンテンツＩＤにより特定されるコンテンツを、当該コンテンツを提供するサービスサイト（サービスサーバ８００Ａ）から受信するためのリモコン信号である。
【０２４８】
ここで、検索結果データは、図２１の検索結果データＤ４００であるとする。この場合、コンテンツ取得リモコン信号に含まれるコンテンツＩＤは、“Ｍ１２３４”となる。そして、ステップＳ４１２の処理は終了する。
【０２４９】
映像表示装置６００が行なうコンテンツ制御処理Ｔでは、まず、ステップＳ４４１の処理が行なわれる。
【０２５０】
ステップＳ４４１では、制御部６１０が、コンテンツ取得要求としてのコンテンツ取得リモコン信号を受信したか否かを判定する。ステップＳ４４１において、ＹＥＳならば、ステップＳ４４２に進む。一方、ステップＳ４４２において、ＮＯならば、再度、ステップＳ４４１の処理が行なわれる。ここでは、コンテンツＩＤ“Ｍ１２３４”を含むコンテンツ取得リモコン信号を受信したとして、ステップＳ４４２に進む。
【０２５１】
ステップＳ４４２では、制御部６１０が、コンテンツ取得要求Ｔを、受信したコンテンツ取得リモコン信号に含まれるコンテンツＩＤを示す検索結果データ（以下、処理対象検索結果データともいう）に示されるサービス名に対応するサービスサイトへ送信する。
【０２５２】
ここで、コンテンツ取得リモコン信号に含まれるコンテンツＩＤは、“Ｍ１２３４”である。したがって、処理対象検索結果データは、図２１の検索結果データＤ４００である。この場合、検索結果データＤ４００に示されるサービス名に対応するサービスサイトは、サイト名が、「ＢＢサイト」のサービスサイトである。前述したように、「ＢＢサイト」のサービスサイトは、サービスサーバ８００Ａが提供するＷｅｂサイトである。したがって、コンテンツ取得要求Ｔは、サービスサーバ８００Ａへ送信される。そして、ステップＳ４４２の処理は終了する。
【０２５３】
送信されるコンテンツ取得要求Ｔには、受信したコンテンツ取得リモコン信号に含まれるコンテンツＩＤ（“Ｍ１２３４”）と、サービスサイトのサイト名（ＢＢサイト）と、サービスサイトのＵＲＬ（http://www.bb.com/）と、当該サービスサイトのＵＲＬ（http://www.bb.com/）に対応するユーザ識別情報（ｂｂｋｋ）（図１０参照）とが含まれる。
【０２５４】
サービスサーバ８００Ａでは、ステップＳ４８１の処理が行なわれる。
ステップＳ４８１では、制御部８１０が、コンテンツ取得要求Ｔを受信したか否かを判定する。ステップＳ４８１において、ＹＥＳならば、ステップＳ４８４に進む。一方、ステップＳ４８１において、ＮＯならば、再度、ステップＳ４８１の処理が行なわれる。ここでは、コンテンツ取得要求Ｔを受信したとして、ステップＳ４８４に進む。受信したコンテンツ取得要求Ｔには、コンテンツＩＤ（“Ｍ１２３４”）と、サービスサイトのサイト名（ＢＢサイト）と、サービスサイトのＵＲＬ（http://www.bb.com/）と、当該サービスサイトのＵＲＬ（http://www.bb.com/）に対応するユーザ識別情報（ｂｂｋｋ）（図１０参照）とが含まれる。
【０２５５】
ステップＳ４８４では、制御部８１０が、コンテンツ取得要求Ｔに含まれるユーザ識別情報が、コンテンツ取得要求Ｔに含まれるサービスサイトのＵＲＬに対応し、かつ、コンテンツ取得要求Ｔに含まれるユーザ識別情報が、前述の図９のステップＳ１２２の処理により自装置が発行したユーザ識別情報であるか否かを判定する。ステップＳ４８４において、ＹＥＳならば、認証成功として、ステップＳ４８８に進む。一方、ステップＳ４８４において、ＮＯならば、再度、ステップＳ４８１の処理が行なわれる。
【０２５６】
ここで、コンテンツ取得要求Ｔに含まれるユーザ識別情報は、“ｂｂｋｋ”である。コンテンツ取得要求Ｔに含まれるサービスサイトのＵＲＬは、“http://www.bb.com/”である。したがって、コンテンツ取得要求Ｔに含まれるユーザ識別情報が、コンテンツ取得要求Ｔに含まれるサービスサイトのＵＲＬに対応する。また、コンテンツ取得要求Ｔに含まれるユーザ識別情報“ｂｂｋｋ”は、自装置が発行したユーザ識別情報である。したがって、認証成功と判定されて、ステップＳ４８８に進む。
【０２５７】
ステップＳ４８８では、コンテンツ配信処理が行なわれる。コンテンツ配信処理では、制御部８１０が、受信したコンテンツ取得要求Ｔに含まれるコンテンツＩＤ（“Ｍ１２３４”）により特定されるコンテンツデータ（以下、要求コンテンツデータともいう）を、映像表示装置６００へ配信（送信）する。
【０２５８】
ここで、要求コンテンツデータは、動画像のデータであるとする。また、要求コンテンツデータは、ＭＰＥＧ２−ＴＳ（Transport Stream）形式で圧縮された動画像データであるとする。なお、動画像データの圧縮形式は、ＭＰＥＧ２−ＴＳ形式に限定されることなく、他の形式で圧縮されたデータであってもよい。ここで、他の形式とは、たとえば、ＭＰＥＧ２、Ｈ．２６４等の形式である。要求コンテンツデータは、前述したように、たとえば、Ｔチームの試合状況、優勝時の状況等を撮影した動画像のデータである。
【０２５９】
この場合、制御部８１０は、要求コンテンツデータを、コンテンツ取得要求Ｔを送信した映像表示装置６００へストリーミング配信する処理を開始する。なお、要求コンテンツデータは、放送電波として、映像表示装置６００へされてもよい。なお、要求コンテンツデータは、ストリーミング配信ではなく、映像表示装置６００が、要求コンテンツデータをダウンロード可能なように送信されてもよい。要求コンテンツデータの配信が終了すると、ステップＳ４８８の処理は終了し、再度、ステップＳ４８１の処理が行なわれる。
【０２６０】
映像表示装置６００が行なうコンテンツ制御処理Ｔでは、ステップＳ４４２の処理の後、ステップＳ４４５に進む。
【０２６１】
ステップＳ４４５では、コンテンツ受信処理Ｔを実行する。コンテンツ受信処理Ｔは、他の処理とは独立して行なわれる処理である。そして、ステップＳ４４５の処理は終了する。
【０２６２】
コンテンツ受信処理Ｔでは、制御部６１０が、ＶＤＰ６３２を利用して、要求コンテンツデータに基づく画像（以下、コンテンツ画像ともいう）を、表示部６３０に表示させる。なお、要求コンテンツデータが、動画像のデータである場合、制御部６１０が、ＶＤＰ６３２を利用して、要求コンテンツデータをサービスサーバ８００Ａから受信しながら、要求コンテンツデータの再生（復号化）を行ない、要求コンテンツデータに基づく画像（以下、コンテンツ画像ともいう）を、表示部６３０に表示するストリーミング再生表示処理が行なわれる。
【０２６３】
通信端末装置５００が行なうコンテンツ制御処理Ｍでは、ステップＳ４１２の処理の後、ステップＳ４１４に進む。
【０２６４】
ステップＳ４１４では、操作パネル表示処理が行なわれる。操作パネル表示処理では、制御部５１０が、ＶＤＰ５３２を利用して、記憶部５２０に記憶されているコンテンツ制御データおよび検索結果データに基づいて、操作パネル画像を生成し、表示部５３０に表示されている画像の前面に表示させる処理を行なわれる。
【０２６５】
ここで、コンテンツ制御データは、図２２のコンテンツ制御データＤ５００であるとする。また、検索結果データは、図２１の検索結果データＤ４００であるとする。この場合、生成される操作パネル画像は、サービス名である「動画配信」を示す、以下の操作パネル画像ＣＴＧ１００となる。なお、表示部５３０には、図１９のコンテンツ表示画像ＭＧ２００が表示されているとする。この処理により、表示部５３０には、以下のコンテンツ表示画像ＭＧ２００Ｂが表示される。そして、ステップＳ４１４の処理は終了する。
【０２６６】
図２４は、一例としてのコンテンツ表示画像ＭＧ２００Ｂを示す図である。図２４を参照して、コンテンツ表示画像ＭＧ２００Ｂは、図１９のコンテンツ表示画像ＭＧ２００と比較して、操作パネル画像ＣＴＧ１００がさらに表示されている点が異なる。それ以外は、コンテンツ表示画像ＭＧ２００と同様なので詳細な説明は繰り返さない。
【０２６７】
操作パネル画像ＣＴＧ１００は、図２２のコンテンツ制御データＤ５００に示される複数の処理から、図２１の検索結果データＤ４００に示される禁止操作の処理（一時停止、巻き戻し、早送り）を除いた処理が示される。
【０２６８】
再び、図２３を参照して、ステップＳ４１４の処理の後、ステップＳ４１８に進む。
ステップＳ４１８では、制御部５１０が、後述する操作判定処理Ｍを実行する。操作判定処理Ｍは、他の処理とは独立して行なわれる処理である。そして、ステップＳ４１８の処理は終了し、コンテンツ制御処理Ｍは終了する。
【０２６９】
映像表示装置６００では、ステップＳ４４５の処理の後、ステップＳ４４８に進む。
ステップＳ４４８では、制御部６１０が、通信端末装置５００から送信されるリモコン信号に対応する処理を行なうための制御信号対応処理Ｔを実行する。制御信号対応処理Ｔは、他の処理とは独立して行なわれる処理である。そして、ステップＳ４４８の処理は終了し、コンテンツ制御処理Ｔは終了する。
【０２７０】
図２５は、操作判定処理Ｍおよび制御信号対応処理Ｔのフローチャートである。図２５を参照して、通信端末装置５００が行なう操作判定処理Ｍでは、まず、ステップＳ５１０の処理が行なわれる。なお、通信端末装置５００の表示部５３０には、図２４のコンテンツ表示画像ＭＧ２００Ｂが表示されているとする。
【０２７１】
ステップＳ５１０では、制御部５１０が、制御操作があるか否かを判定する。ここで、制御操作は、コンテンツ表示画像ＭＧ２００Ｂの操作パネル画像ＣＴＧ１００に表示されている、「停止」、「再生」および「終了」にそれぞれ対応する複数のボタンのいずれかの押下操作、または、操作パネル画像ＣＴＧ１００に表示されている、「停止」、「再生」および「終了」の文字列のいずれかのタッチ操作であるとする。ステップＳ５１０において、ＹＥＳならば、ステップＳ５１２に進む。一方、ステップＳ５１０において、ＮＯならば、再度、ステップＳ５１０の処理が行なわれる。ここでは、「停止」に対応する「下方向ボタン」を操作部名とする方向ボタン５４１Ｂを押下する制御操作があったとして、ステップＳ５１２に進む。
【０２７２】
ステップＳ５１２では、制御部５１０が、通信部５６０を利用して、制御操作に対応する制御信号としてのリモコン信号を、映像表示装置６００へ送信する。制御操作が、「停止」に対応する「下方向ボタン」を操作部名とする方向ボタン５４１Ｂを押下する操作である場合、送信されるリモコン信号は、「停止」の情報を含んだリモコン信号となる。ステップＳ５１２の処理が終了すると、再度、ステップＳ５１０の処理が行なわれる。
【０２７３】
映像表示装置６００が行なう制御信号対応処理Ｔでは、まず、ステップＳ５２０の処理が行なわれる。
【０２７４】
ステップＳ５２０では、制御部６１０が、制御信号としてのリモコン信号を受信したか否かを判定する。ステップＳ５２０において、ＹＥＳならば、ステップＳ５２２に進む。一方、ステップＳ５２０において、ＮＯならば、再度、ステップＳ５２０の処理が行なわれる。ここでは、「停止」の情報を含んだリモコン信号を受信したとして、ステップＳ５２２に進む。
【０２７５】
ステップＳ５２２では、制御信号対応処理が行なわれる。制御信号対応処理では、制御部６１０が、受信したリモコン信号に応じた処理を行なう。たとえば、前述した、図２３のコンテンツ受信処理Ｔにより、動画像のコンテンツ画像が表示部６３０で再生表示されているとする。この場合、制御部６１０は、「停止」の情報を含んだリモコン信号を受信すると、ＶＤＰ６３２を利用して、コンテンツ画像の再生表示を停止させる。ステップＳ５２２の処理が終了すると、再度、ステップＳ５２０の処理が行なわれる。
【０２７６】
以上説明したように、通信端末装置５００は、図１７のステップＳ３１２のコンテンツ取得処理Ｍにより、インターネット（ネットワーク７０）からコンテンツ（ＲＳＳデータ）を取得し、取得したコンテンツ（ＲＳＳデータ）を、映像表示装置６００へ送信する。
【０２７７】
映像表示装置６００は、図１７のステップＳ３４２のデータ解析処理Ｔにより、受信したコンテンツ（ＲＳＳデータ）を解析し、インターネット（ネットワーク７０）に接続されたサービスサイト（サービスサーバ８００Ａ）からコンテンツを取得するためのパラメータを抽出する。そして、映像表示装置６００は、抽出したパラメータを、サービスサイト（サービスサーバ８００Ａ）へ送信する。
【０２７８】
サービスサイト（サービスサーバ８００Ａ）では、受信したパラメータに対応するコンテンツが存在する場合、映像表示装置６００からの要求に応じて、コンテンツを、映像表示装置６００へ送信する。
【０２７９】
すなわち、通信端末装置５００がインターネット（ネットワーク７０）から取得したコンテンツ（以下、端末取得コンテンツともいう）が、映像表示装置６００により自動的に解析され、解析結果に基づく、端末取得コンテンツに関連するコンテンツが、インターネット（ネットワーク７０）に接続されたサービスサイト（サービスサーバ８００Ａ）から取得される。
【０２８０】
したがって、多くの手間をかけることなく、多種多様なコンテンツを取得することができるという効果を奏する。
【０２８１】
また、映像表示装置６００は、サービスサイト（サービスサーバ８００Ａ）から受信したコンテンツに応じた、当該コンテンツの表示制御を行なうためのコンテンツ制御データを、通信端末装置５００へ送信する。通信端末装置５００は、受信したコンテンツ制御データに基づいて、映像表示装置６００の表示部６３０に表示されているコンテンツの表示制御を行なうことができる。
【０２８２】
したがって、受信したコンテンツに適した、多種多様な表示制御を行なうことができるという効果を奏する。
【０２８３】
（コンテンツの取得の他の例）
次に、通信端末装置５００に、コンテンツとしての情報を取得し、当該コンテンツに関連するコンテンツを、サービスサイトから取得するためのコンテンツ取得処理の他の例について説明する。通信端末装置５００では、制御部５１０が、前述した、Ｗｅｂブラウザプログラムを実行しているとする。
【０２８４】
再び、図１７を参照して、ステップＳ３１１では、前述したのと同様な処理が行なわれるので詳細な説明は繰り返さない。ここでは、ＲＳＳデータを取得するためのコンテンツ取得操作があったとして、ステップＳ３１２に進む。コンテンツ取得操作は、たとえば、表示部５３０に表示されているＷｅｂブラウザに表示されるＲＳＳデータを取得するためのボタンを押下する操作であるとする。
【０２８５】
ステップＳ３１２では、前述したのと同様にコンテンツ取得処理Ｍが行なわれるので詳細な説明は繰り返さない。この処理により、以下の情報データＤ１１を示すＲＳＳデータが受信されたとする。
【０２８６】
図２６は、一例としての情報データＤ１１を示す図である。図２６を参照して、情報データＤ１１は、図１８の情報データＤ１０と比較して、「ジャンル」、「内容」の情報が異なる。それ以外は、情報データＤ１０と同様なので詳細な説明は繰り返さない。
【０２８７】
再び、図１７を参照して、ステップＳ３１２のコンテンツ取得処理Ｍでは、制御部５１０が、ＶＤＰ５３２を利用して、受信したＲＳＳデータに基づく情報を表示したコンテンツ表示画像を生成し、生成したコンテンツ表示画像を、表示部５３０に表示させる処理を行なう。ここで、受信したＲＳＳデータは、図２６の情報データＤ１１を示すデータであるとする。この場合、生成されるコンテンツ表示画像は、以下のコンテンツ表示画像ＭＧ３００である。そして、ステップＳ３１２の処理は終了する。
【０２８８】
図２７は、一例としてのコンテンツ表示画像ＭＧ３００を示す図である。
再び、図１７を参照して、ステップＳ３１３では、前述したのと同様に処理リスト画像表示処理Ｍが行なわれるので詳細な説明は繰り返さない。この処理により、表示部５３０には、以下のコンテンツ表示画像ＭＧ３００Ａが表示される。そして、ステップＳ３１３の処理は終了する。
【０２８９】
図２８は、一例としてのコンテンツ表示画像ＭＧ３００Ａを示す図である。図２８を参照して、コンテンツ表示画像ＭＧ２００Ａは、図２７のコンテンツ表示画像ＭＧ３００と比較して、サービスリスト画像ＭＬＧ１００がさらに表示されている点が異なる。サービスリスト画像ＭＬＧ１００は、図２０において説明したので詳細な説明は繰り返さない。
【０２９０】
再び、図１７を参照して、ステップＳ３１３の処理の後、ステップＳ３１４に進む。
ステップＳ３１４では、前述したのと同様な処理が行なわれるので詳細な説明は繰り返さない。ここでは、サービスリスト画像ＭＬＧ１００に表示されている「地図表示」というサービス名を選択するサービス選択操作があったとして、ステップＳ３１５に進む。
【０２９１】
ステップＳ３１５では、前述したのと同様に、制御部５１０が、選択サービス情報を、映像表示装置６００へ送信する。送信される選択サービス情報は、サービス選択操作により選択されたサービス名と、コンテンツ取得処理Ｍにより取得したコンテンツデータのうち、図１３の制御テーブルＤ２１０において、当該サービス名に対応するパラメータデータとを含む。
【０２９２】
ここで、サービス選択操作により選択されたサービス名は「地図表示」であるとする。この場合、制御テーブルＤ２１０において、サービス名「地図表示」に対応するパラメータデータは、テキストデータである。また、コンテンツ取得処理Ｍにより取得したコンテンツデータは、図２６の情報データＤ１１を示すテキストデータとしてのＲＳＳデータである。したがって、選択サービス情報に含まれるパラメータデータは、図２６の情報データＤ１１を示すテキストデータとしてのＲＳＳデータとなる。そして、ステップＳ３１５の処理は終了する。
【０２９３】
映像表示装置６００では、ステップＳ３４１において、前述したのと同様な処理が行なわれるので詳細な説明は繰り返さない。ここでは、選択サービス情報を受信したとして、ステップＳ３４２に進む。
【０２９４】
ステップＳ３４２では、前述したのと同様に、データ解析処理Ｔが行なわれる。データ解析処理Ｔでは、制御部６１０が、図１４の処理設定テーブルＤ２２０において、受信した選択サービス情報に含まれるサービス名に対応する処理を、受信した選択サービス情報に含まれるパラメータデータ（たとえば、ＲＳＳデータ）に対して行なう。ここで、受信した選択サービス情報に含まれるサービス名は、「地図表示」である。また、受信した選択サービス情報に含まれるパラメータデータは、図２６の情報データＤ１１を示すテキストデータであるとする。
【０２９５】
この場合、制御部６１０は、図１４の処理設定テーブルＤ２２０において、受信した選択サービス情報に含まれるサービス名「地図表示」に対応する、都道府県抽出、市町村抽出といった処理を、受信した選択サービス情報に含まれるパラメータデータ（コンテンツデータ）としてのＲＳＳデータ（図２６の情報データＤ１１）に対して行なう。
【０２９６】
都道府県抽出の処理により、図１２のサービス利用データテーブルＤ２００に示される、パラメータ１の「都道府県」として、「Ａ県」が抽出される。市町村抽出の処理により、サービス利用データテーブルＤ２００に示される、パラメータ２の「市町村」として、「Ｂ市」が抽出される。そして、ステップＳ３４２の処理は終了し、ステップＳ３４３に進む。
【０２９７】
ステップＳ３４３では、前述したのと同様に、コンテンツ確認処理Ｔが行なわれる。この処理により、制御部６１０が、コンテンツ確認要求Ｔを、図１２のサービス利用データテーブルＤ２００において、受信した選択サービス情報に含まれるサービス名（地図表示）に対応するサービスサイト（サービスサーバ８００Ａ）へ送信する。
【０２９８】
送信されるコンテンツ確認要求Ｔには、サービスサイトのサイト名（ＣＣサイト）と、サービスサイトのＵＲＬ（http://www.cc.com/）と、当該サービスサイトのＵＲＬ（http://www.cc.com/）に対応するユーザ識別情報（ｃｃｋｋ）（図１０参照）と、ステップＳ３４２のデータ解析処理Ｔにおいて解析されたパラメータとが含まれる。ここで、送信されるコンテンツ確認要求Ｔに含まれるパラメータは、パラメータ１の「都道府県」（Ａ県）と、パラメータ２の「市町村」（Ｂ市）とを含むとする。
【０２９９】
サービスサーバ８００Ａでは、ステップＳ３８１において、前述したのと同様な処理が行なわれるので詳細な説明は繰り返さない。ここでは、コンテンツ確認要求Ｔを受信したとして、ステップＳ３８４に進む。受信したコンテンツ確認要求Ｔには、サービスサイトのサイト名（ＣＣサイト）と、サービスサイトのＵＲＬ（http://www.cc.com/）と、当該サービスサイトのＵＲＬ（http://www.cc.com/）に対応するユーザ識別情報（ｃｃｋｋ）（図１０参照）と、ステップＳ３４２のデータ解析処理Ｔにおいて解析されたパラメータとが含まれるとする。
【０３００】
ステップＳ３８４では、前述したのと同様な処理が行なわれるので詳細な説明は繰り返さない。ここでは、認証成功と判定されて、ステップＳ３８６に進む。
【０３０１】
ステップＳ３８６では、前述したようにコンテンツデータ検索処理が行なわれる。コンテンツデータ検索処理では、制御部８１０が、コンテンツ確認要求Ｔに含まれるパラメータに基づいて、コンテンツ確認要求Ｔに含まれるサイト名のサービスサイトが提供可能な複数のコンテンツデータのうち、該当するコンテンツデータを検索する。ここで、コンテンツ確認要求Ｔに含まれるサイト名は、「ＣＣサイト」である。サイト名が「ＣＣサイト」のサービスサイトは、地図表示のサービスを行なうサイトである。したがって、サイト名が「ＣＣサイト」のサービスサイトが提供可能な複数のコンテンツデータは、地図データであり、記憶部８２０に記憶されている。
【０３０２】
具体的には、制御部８１０は、コンテンツ確認要求Ｔに含まれる、パラメータ１の「都道府県」（Ａ県）と、パラメータ２の「市町村」（Ｂ市）とで特定されるコンテンツデータが記憶部８２０に記憶されているか否かを判定する。
【０３０３】
記憶部８２０に、たとえば、Ａ県、Ｂ市の地図データがある場合、当該コンテンツデータとしての地図データが、コンテンツ確認要求Ｔに含まれるパラメータにより特定される存在確認コンテンツデータとなる。ここでは、制御部８１０は、存在確認コンテンツデータありと判定したとする。そして、ステップＳ３８７に進む。
【０３０４】
ステップＳ３８７では、前述したのと同様な処理が行なわれるので詳細な説明は繰り返さない。この処理により、検索結果データが映像表示装置６００へ送信される。
【０３０５】
ここで、送信される検索結果データは、以下の検索結果データＤ４１０であるとする。検索結果データＤ４１０は、ステップＳ３８６のコンテンツデータ検索処理により存在確認コンテンツデータありと判定された場合に送信されるデータである。
【０３０６】
図２９は、一例としての検索結果データＤ４１０を示す図である。図２９を参照して、検索結果データＤ４１０に示される各項目は、図２１で説明したのと同様なので詳細な説明は繰り返さない。
【０３０７】
再び、図１７を参照して、映像表示装置６００では、ステップＳ３４３のコンテンツ確認処理Ｔにおいて、制御部６１０が、検索結果データＤ４１０を受信し、受信した検索結果データＤ４１０を、記憶部６２０に記憶させる。そして、ステップＳ３４４に進む。
【０３０８】
ステップＳ３４４では、前述したのと同様な処理が行なわれるので詳細な説明は繰り返さない。この処理により、検索結果データＤ４１０が通信端末装置５００へ送信される。
【０３０９】
通信端末装置５００では、ステップＳ３１６において、前述したのと同様な処理が行なわれるので詳細な説明は繰り返さない。ここでは、検索結果データＤ４１０を受信したとして、ステップＳ３１７に進む。
【０３１０】
ステップＳ３１７では、前述したのと同様な処理が行なわれるので詳細な説明は繰り返さない。この処理により、記憶部５２０に検索結果データＤ４１０が記憶される。
【０３１１】
映像表示装置６００では、ステップＳ３４５において、前述したのと同様な処理が行なわれるので詳細な説明は繰り返さない。ここでは、検索結果データＤ４１０を受信したとする。したがって、検索結果データＤ４１０の検索結果の項目に「コンテンツデータあり」と記述されているので、ステップＳ３４６に進む。
【０３１２】
ステップＳ３４６では、前述したように、コンテンツ制御データ送信処理が行なわれる。コンテンツ制御データ送信処理では、まず、制御部６１０が、図１６の操作情報設定テーブルＤ１２０において、受信した選択サービス情報に含まれるサービス名に対応づけられている操作ＩＤを特定する。ここで、受信した選択サービス情報に含まれるサービス名は、「地図表示」であるとする。この場合、特定される操作ＩＤは、“ＣＴ２”となる。
【０３１３】
そして、制御部６１０は、図１５の操作情報データテーブルＤ３００において、特定された操作ＩＤ（“ＣＴ２”）の操作情報を示した、以下のコンテンツ制御データを、通信端末装置５００へ送信する。コンテンツ制御データは、存在確認コンテンツデータの表示制御を行なうためのデータである。送信されるコンテンツ制御データは、以下のコンテンツ制御データＤ５１０であるとする。そして、ステップＳ３４６の処理は終了する。
【０３１４】
図３０は、一例としてのコンテンツ制御データＤ５１０を示す図である。図３０を参照して、コンテンツ制御データＤ５１０は、図２２のコンテンツ制御データＤ５００と比較して、「処理」の項目の内容が異なる。それ以外は、コンテンツ制御データＤ５００と同様なので詳細な説明は繰り返さない。
【０３１５】
再び、図１７を参照して、通信端末装置５００では、ステップＳ３１８において、前述したのと同様な処理が行なわれるので詳細な説明は繰り返さない。ここでは、検索結果データＤ４１０を受信したとする。したがって、検索結果データＤ４１０の検索結果の項目に「コンテンツデータあり」と記述されているので、ステップＳ３２０に進む。
【０３１６】
ステップＳ３２０では、前述したのと同様な処理が行なわれるので詳細な説明は繰り返さない。ここでは、図３０のコンテンツ制御データＤ５１０を受信したとして、ステップＳ３２１に進む。
【０３１７】
ステップＳ３２１では、前述したのと同様な処理が行なわれるので詳細な説明は繰り返さない。この処理により、記憶部５２０には、コンテンツ制御データＤ５１０が記憶される。そして、ステップＳ３２８に進む。
【０３１８】
ステップＳ３２８では、前述したように、コンテンツ制御処理Ｍが実行される。
映像表示装置６００では、ステップＳ３４８において、前述したように、コンテンツ制御処理Ｔが実行される。
【０３１９】
再び、図２３を参照して、通信端末装置５００が行なうコンテンツ制御処理Ｍでは、ステップＳ４１１において、制御部５１０が、通信端末装置５００をリモコンモードに設定する。そして、ステップＳ４１２に進む。
【０３２０】
ステップＳ４１２では、前述したのと同様な処理が行なわれるので詳細な説明は繰り返さない。この処理により、コンテンツ取得要求としてのコンテンツ取得リモコン信号が、映像表示装置６００へ送信される。ここで、コンテンツ取得リモコン信号は、記憶部５２０に記憶されている、図２９の検索結果データＤ４１０に示されるコンテンツＩＤ“ＭＡＰ１２３４”を含む。
【０３２１】
映像表示装置６００が行なうコンテンツ制御処理Ｔでは、ステップＳ４４１において、前述したのと同様な処理が行なわれるので詳細な説明は繰り返さない。ここでは、コンテンツＩＤ“ＭＡＰ１２３４”を含むコンテンツ取得リモコン信号を受信したとして、ステップＳ４４２に進む。
【０３２２】
ステップＳ４４２では、前述したのと同様な処理が行なわれる。具体的には、制御部６１０が、コンテンツ取得要求Ｔを、受信したコンテンツ取得リモコン信号に含まれるコンテンツＩＤを示す検索結果データ（以下、処理対象検索結果データともいう）に示されるサービス名に対応するサービスサイトへ送信する。ここで、コンテンツ取得リモコン信号に含まれるコンテンツＩＤは、“ＭＡＰ１２３４”である。したがって、処理対象検索結果データは、図２９の検索結果データＤ４１０である。
【０３２３】
この場合、検索結果データＤ４００に示されるサービス名に対応するサービスサイトは、サイト名が、「ＣＣサイト」のサービスサイトである。前述したように、「ＣＣサイト」のサービスサイトは、サービスサーバ８００Ａが提供するＷｅｂサイトである。したがって、コンテンツ取得要求Ｔは、サービスサーバ８００Ａへ送信される。
【０３２４】
送信されるコンテンツ取得要求Ｔには、受信したコンテンツ取得リモコン信号に含まれるコンテンツＩＤ“ＭＡＰ１２３４”と、サービスサイトのサイト名（ＣＣサイト）と、サービスサイトのＵＲＬ（http://www.cc.com/）と、当該サービスサイトのＵＲＬ（http://www.cc.com/）に対応するユーザ識別情報（ｃｃｋｋ）（図１０参照）とが含まれる。
【０３２５】
サービスサーバ８００Ａでは、ステップＳ４８１において、前述したのと同様な処理が行なわれるので詳細な説明は繰り返さない。ここでは、コンテンツ取得要求Ｔを受信したとして、ステップＳ４８４に進む。
【０３２６】
ステップＳ４８４では、前述したのと同様な処理が行なわれるので詳細な説明は繰り返さない。ここでは、認証成功として、ステップＳ４８８に進む。
【０３２７】
ステップＳ４８８では、コンテンツ配信処理が行なわれる。コンテンツ配信処理では、制御部８１０が、受信したコンテンツ取得要求Ｔに含まれるコンテンツＩＤ（“ＭＡＰ１２３４”）により特定される要求コンテンツデータを、映像表示装置６００へ配信（送信）する。ここで、要求コンテンツデータは、Ａ県、Ｂ市の地図の画像データである。
【０３２８】
映像表示装置６００が行なうコンテンツ制御処理Ｔでは、ステップＳ４４５において、前述したように、コンテンツ受信処理Ｔが実行される。コンテンツ受信処理Ｔでは、制御部６１０が、ＶＤＰ６３２を利用して、要求コンテンツデータに基づくコンテンツ画像を、表示部６３０に表示させる。
【０３２９】
この場合、表示部６３０には、Ａ県、Ｂ市の地図を示した、以下のコンテンツ画像Ｇ３００が表示される。
【０３３０】
図３１は、一例としてのコンテンツ画像Ｇ３００を示す図である。
再び、図２３を参照して、通信端末装置５００が行なうコンテンツ制御処理Ｍでは、ステップＳ４１４において、前述した操作パネル表示処理が行なわれる。操作パネル表示処理では、制御部５１０が、ＶＤＰ５３２を利用して、記憶部５２０に記憶されている、図３０のコンテンツ制御データＤ５１０および図２９の検索結果データＤ４１０に基づいて、サービス名である「地図表示」を示す、以下の操作パネル画像ＣＴＧ１００Ｂを生成し、表示部５３０に表示されている画像の前面に表示させる処理を行なわれる。なお、表示部５３０には、図２７のコンテンツ表示画像ＭＧ３００が表示されているとする。この処理により、表示部５３０には、以下のコンテンツ表示画像ＭＧ３００Ｂが表示される。
【０３３１】
図３２は、一例としてのコンテンツ表示画像ＭＧ３００Ｂを示す図である。図３２を参照して、コンテンツ表示画像ＭＧ３００Ｂは、図２７のコンテンツ表示画像ＭＧ３００と比較して、操作パネル画像ＣＴＧ１００Ｂがさらに表示されている点が異なる。それ以外は、コンテンツ表示画像ＭＧ３００と同様なので詳細な説明は繰り返さない。
【０３３２】
操作パネル画像ＣＴＧ１００Ｂは、図３０のコンテンツ制御データＤ５１０に示される複数の処理から、図２９の検索結果データＤ４１０に示される禁止操作の処理（なし）を除いた処理が示される。
【０３３３】
再び、図２３を参照して、ステップＳ４１８では、前述したように、操作判定処理Ｍが実行される。
【０３３４】
映像表示装置６００では、ステップＳ４４８において、前述したように、制御信号対応処理Ｔが実行される。
【０３３５】
再び、図２５を参照して、通信端末装置５００が行なう操作判定処理Ｍでは、ステップＳ５１０において、前述したのと同様な処理が行なわれるので詳細な説明は繰り返さない。ここで、制御操作は、コンテンツ表示画像ＭＧ３００Ｂの操作パネル画像ＣＴＧ１００Ｂに表示されている、「上移動」、「下移動」、「左移動」、「右移動」、「決定」、「選択終了」および「終了」にそれぞれ対応する複数のボタンのいずれかの押下操作、または、操作パネル画像ＣＴＧ１００Ｂに表示されている、「上移動」、「下移動」、「左移動」、「右移動」、「決定」、「選択終了」および「終了」の文字列のいずれかのタッチ操作であるとする。ここでは、「上移動」に対応する「上方向ボタン」を操作部名とする方向ボタン５４１Ａを押下する制御操作があったとして、ステップＳ５１２に進む。
【０３３６】
ステップＳ５１２では、前述したのと同様な処理が行なわれるので詳細な説明は繰り返さない。この処理により、「上移動」の情報を含んだリモコン信号が映像表示装置６００へ送信される。
【０３３７】
映像表示装置６００が行なう制御信号対応処理Ｔでは、ステップＳ５２０において、前述したのと同様な処理が行なわれるので詳細な説明は繰り返さない。ここでは、「上移動」の情報を含んだリモコン信号を受信したとして、ステップＳ５２２に進む。
【０３３８】
ステップＳ５２２では、前述したように、制御信号対応処理が行なわれる。制御信号対応処理では、制御部６１０が、受信したリモコン信号に応じた処理を行なう。ここで、表示部６３０に、図３１のコンテンツ画像Ｇ３００が表示されているとする。この場合、制御部６１０は、「上移動」の情報を含んだリモコン信号を受信すると、ＶＤＰ６３２を利用して、コンテンツ画像Ｇ３００を、上方向に、所定距離移動させた画像を、表示部６３０に表示させる。
【０３３９】
以上説明したように、地図等の静止画像（コンテンツ）を表示部６３０に表示させ、コンテンツの表示制御を行なうための前述した処理においても、動画像のコンテンツを表示させ、表示されたコンテンツの表示制御を行なうための前述した処理と同様な効果を得ることができる。
【０３４０】
すなわち、多くの手間をかけることなく、多種多様なコンテンツを取得することができるという効果を奏する。また、受信したコンテンツに適した、多種多様な表示制御を行なうことができるという効果を奏する。
【０３４１】
＜第１の実施の形態の変形例＞
第１の実施の形態では、通信端末装置５００が、表示部５３０に表示された１つの情報データに基づく処理について説明した。本実施の形態の変形例では、通信端末装置５００が、表示部５３０に表示された複数の情報データに基づく処理について説明する。
【０３４２】
（コンテンツの取得）
次に、通信端末装置５００に、コンテンツとしての情報を取得し、当該コンテンツに関連するコンテンツを、サービスサイトから取得するための処理（以下、コンテンツ取得処理Ａともいう）について説明する。通信端末装置５００では、制御部５１０が、前述した、Ｗｅｂブラウザプログラムを実行しているとする。
【０３４３】
図３３は、コンテンツ取得処理Ａのフローチャートである。図３３では、通信端末装置５００、映像表示装置６００およびサービスサーバ８００Ａの各々において行なわれる処理を示す。コンテンツ取得処理Ａにおいて、図１７のコンテンツ取得処理と同じステップ番号の処理は、図１７の処理と同様な処理が行なわれる。
【０３４４】
通信端末装置５００では、まず、ステップＳ３１１の処理が行なわれる。
ステップＳ３１１では、前述したのと同様な処理が行なわれるので詳細な説明は繰り返さない。ここでは、ＲＳＳデータを取得するためのコンテンツ取得操作があったとして、ステップＳ３１２に進む。コンテンツ取得操作は、たとえば、表示部５３０に表示されているＷｅｂブラウザに表示されるＲＳＳデータを取得するためのボタンを押下する操作であるとする。
【０３４５】
ステップＳ３１２では、前述したのと同様にコンテンツ取得処理Ｍが行なわれるので詳細な説明は繰り返さない。この処理により、以下の情報データテーブルＤ６００を示すＲＳＳデータが受信されたとする。
【０３４６】
図３４は、一例としての情報データテーブルＤ６００を示す図である。図３４を参照して、情報データテーブルＤ６００は、複数の情報データから構成される。「番号」とは、複数の情報データの各々を管理するための番号である。たとえば、番号“１”の情報データは、図１８の情報データＤ１０と同じである。「日時」、「ジャンル」、「内容」については、図１８で説明したのと同様なので詳細な説明は繰り返さない。
【０３４７】
再び、図３３を参照して、ステップＳ３１２のコンテンツ取得処理Ｍでは、制御部５１０が、ＶＤＰ５３２を利用して、受信したＲＳＳデータに基づく情報を表示したコンテンツ表示画像を生成し、生成したコンテンツ表示画像を、表示部５３０に表示させる処理を行なう。ここで、受信したＲＳＳデータは、図３４の情報データテーブルＤ６００を示すデータであるとする。この場合、生成されるコンテンツ表示画像は、以下のコンテンツ表示画像ＭＧ４００である。そして、ステップＳ３１２の処理は終了する。
【０３４８】
図３５は、一例としてのコンテンツ表示画像ＭＧ４００を示す図である。図３５を参照して、コンテンツ表示画像ＭＧ４００には、情報画像ＭＧ４１０が配置される。情報画像ＭＧ４１０は、図３４の情報データテーブルＤ６００に示される複数の情報データを示した画像である。
【０３４９】
再び、図３３を参照して、ステップＳ３１２の処理の後、ステップＳ３１４Ａに進む。
ステップＳ３１４Ａでは、制御部５１０が、端末取得コンテンツを、映像表示装置６００へ送信する。ここで、端末取得コンテンツは、ステップＳ３１２のコンテンツ取得処理Ｍにより、取得されたコンテンツである。ここでは、端末取得コンテンツは、情報データテーブルＤ６００であるとする。
【０３５０】
映像表示装置６００では、まず、ステップＳ３４１Ａの処理が行なわれる。
ステップＳ３４１Ａでは、制御部６１０が、端末取得コンテンツを受信したか否かを判定する。ステップＳ３４１Ａにおいて、ＹＥＳならば、ステップＳ３４２Ａに進む。一方、ステップＳ３４１Ａにおいて、ＮＯならば、再度、ステップＳ３４１Ａの処理が行なわれる。ここでは、端末取得コンテンツとしての情報データテーブルＤ６００を受信したとして、ステップＳ３４２Ａに進む。
【０３５１】
ステップＳ３４２Ａでは、データ解析処理ＴＡが行なわれる。データ解析処理ＴＡでは、制御部６１０が、受信した情報データテーブルを構成する複数の情報データの各々に対し、図１４の処理設定テーブルＤ２２０に示される複数のサービス名にそれぞれ対応する処理を行なう。
【０３５２】
ここで、受信した情報データテーブルは、情報データテーブルＤ６００であるとする。したがって、情報データテーブルＤ６００を構成する複数の情報データの各々は、テキストデータである。
【０３５３】
具体的には、制御部６１０は、まず、情報データテーブルＤ６００の番号“１”の情報データに対し、処理設定テーブルＤ２２０に示される、番号“１”に対応するジャンル抽出、日時抽出、キーワード抽出といった処理を行なう。これらの処理は、図１７のステップＳ３４２のデータ解析処理Ｔで説明したのと同様なので詳細な説明は繰り返さない。これにより、図１２のサービス利用データテーブルＤ２００において、番号“１”に対応する各パラメータが抽出される。
【０３５４】
そして、制御部６１０は、情報データテーブルＤ６００の番号“１”の情報データに対し、処理設定テーブルＤ２２０に示される、番号“２”，“３”，・・・，にそれぞれ対応する複数の処理を順次行なう。当該複数の処理の各々が行なわれる毎に、図１２のサービス利用データテーブルＤ２００において、番号“２”以降に対応する各パラメータが抽出される。情報データテーブルＤ６００の番号“１”の情報データに対し上記処理が行なわれることにより、以下の取得パラメータデータテーブルＤ７１０が、制御部６１０により、記憶部６２０に記憶される。
【０３５５】
図３６は、一例としての取得パラメータデータテーブルＤ７１０を示す図である。図３６を参照して、取得パラメータデータテーブルＤ７１０は、図１２のサービス利用データテーブルＤ２００と比較して、パラメータ１，２，３，・・・，の各項目に、図３４の情報データテーブルＤ６００の番号“１”の情報データに対し、前述した処理が行なわれることにより抽出されたパラメータが記述されている点が異なる。なお、取得パラメータデータテーブルＤ７１０のパラメータの項目において「なし」と記述されている箇所は、対応するパラメータがなかったことを示す。取得パラメータデータテーブルＤ７１０は、複数の取得パラメータデータから構成される。「番号」とは、複数の取得パラメータデータの各々を管理するための番号である。
【０３５６】
再び、図３３を参照して、ステップＳ３４２Ａのデータ解析処理ＴＡでは、制御部６１０が、情報データテーブルＤ６００の番号“１”の情報データに対し行なった前述の処理を、情報データテーブルＤ６００の番号“２”にそれぞれ対応する複数の情報データの各々に対しても同様に行なう。これにより、記憶部６２０には、以下の取得パラメータデータテーブルＤ７２０が記憶される。
【０３５７】
図３７は、一例としての取得パラメータデータテーブルＤ７２０を示す図である。図３７を参照して、取得パラメータデータテーブルＤ７２０は、図１２のサービス利用データテーブルＤ２００と比較して、パラメータ１，２，３，・・・，の各項目に、図３４の情報データテーブルＤ６００の番号“２”の情報データに対し、前述した処理が行なわれることにより抽出されたパラメータが記述されている点が異なる。なお、取得パラメータデータテーブルＤ７２０のパラメータの項目において「なし」と記述されている箇所は、対応するパラメータがなかったことを示す。取得パラメータデータテーブルＤ７２０は、複数の取得パラメータデータから構成される。「番号」とは、複数の取得パラメータデータの各々を管理するための番号である。
【０３５８】
再び、図３３を参照して、ステップＳ３４２Ａのデータ解析処理ＴＡでは、制御部６１０が、情報データテーブルＤ６００の番号“１”の情報データに対し行なった前述の処理を、情報データテーブルＤ６００の番号“３”，“４”，・・・，にそれぞれ対応する複数の情報データの各々に対しても同様に行なう。以上の処理により、記憶部６２０には、情報データテーブルＤ６００の番号“１”，“２”，・・・，にそれぞれ対応する複数の取得パラメータデータテーブルが記憶される。そして、ステップＳ３４３Ａに進む。
【０３５９】
ステップＳ３４３Ａでは、コンテンツ確認処理ＴＡが行なわれる。コンテンツ確認処理ＴＡでは、制御部６１０が、コンテンツ確認要求ＴＡを、図３４の情報データテーブルＤ６００の番号“１”，“２”，・・・，にそれぞれ対応する複数の取得パラメータデータテーブルの各々に示されるサービスサイトへ送信する。当該複数の取得パラメータデータテーブルの各々に示されるサービスサイトは、サービスサーバ８００Ａが提供するＷｅｂサイトである。したがって、コンテンツ確認要求ＴＡは、サービスサーバ８００Ａへ送信される。
【０３６０】
具体的には、まず、制御部６１０は、情報データテーブルＤ６００の番号“１”に対応する、図３６の取得パラメータデータテーブルＤ７１０の番号“１”の取得パラメータデータに示される「ＢＢサイト」（サービスサーバ８００Ａ）へ、コンテンツ確認要求ＴＡを送信する。この場合、送信されるコンテンツ確認要求ＴＡには、取得パラメータデータテーブルＤ７１０の番号“１”の取得パラメータデータと、「ＢＢサイト」に対応するユーザ識別情報（ｂｂｋｋ）（図１０参照）とが含まれる。
【０３６１】
コンテンツ確認要求ＴＡは、コンテンツ確認要求ＴＡに含まれる取得パラメータデータが示すパラメータにより特定されるコンテンツの存在の有無を確認するための要求である。
【０３６２】
サービスサーバ８００Ａでは、まず、ステップＳ３８１Ａの処理が行なわれる。
ステップＳ３８１Ａでは、制御部８１０が、コンテンツ確認要求ＴＡを受信したか否かを判定する。ステップＳ３８１Ａにおいて、ＹＥＳならば、ステップＳ３８４Ａに進む。一方、ステップＳ３８１Ａにおいて、ＮＯならば、再度、ステップＳ３８１Ａの処理が行なわれる。ここでは、コンテンツ確認要求ＴＡを受信したとして、ステップＳ３８４Ａに進む。
【０３６３】
受信したコンテンツ確認要求ＴＡには、図３６の取得パラメータデータテーブルＤ７１０の番号“１”の取得パラメータデータと、「ＢＢサイト」に対応するユーザ識別情報（ｂｂｋｋ）（図１０参照）とが含まれる。
【０３６４】
ステップＳ３８４Ａでは、制御部８１０が、コンテンツ確認要求ＴＡに含まれるユーザ識別情報が、コンテンツ確認要求ＴＡに含まれる取得パラメータデータが示すＵＲＬに対応し、かつ、コンテンツ確認要求ＴＡに含まれるユーザ識別情報が、前述の図９のステップＳ１２２の処理により自装置が発行したユーザ識別情報であるか否かを判定する。ステップＳ３８４Ａにおいて、ＹＥＳならば、認証成功として、ステップＳ３８６Ａに進む。一方、ステップＳ３８４Ａにおいて、ＮＯならば、再度、ステップＳ３８１Ａの処理が行なわれる。
【０３６５】
ここで、コンテンツ確認要求ＴＡに含まれるユーザ識別情報は、“ｂｂｋｋ”である。コンテンツ確認要求ＴＡに含まれる取得パラメータデータは、取得パラメータデータテーブルＤ７１０の番号“１”の取得パラメータデータであり、ＵＲＬ“http://www.bb.com/”を示す。したがって、コンテンツ確認要求ＴＡに含まれるユーザ識別情報が、コンテンツ確認要求ＴＡに含まれる取得パラメータデータが示すＵＲＬに対応する。また、コンテンツ確認要求Ｔに含まれるユーザ識別情報“ｂｂｋｋ”は、自装置が発行したユーザ識別情報である。したがって、認証成功と判定されて、ステップＳ３８６Ａに進む。
【０３６６】
ステップＳ３８６Ａでは、コンテンツデータ検索処理Ａが行なわれる。コンテンツデータ検索処理Ａでは、制御部８１０が、コンテンツ確認要求ＴＡに含まれる取得パラメータデータが示すパラメータに基づいて、コンテンツ確認要求ＴＡに含まれる取得パラメータデータが示すサービスサイトが提供可能な複数のコンテンツデータのうち、該当するコンテンツデータを検索する。
【０３６７】
ここで、コンテンツ確認要求ＴＡに含まれる取得パラメータデータは、図３６の取得パラメータデータテーブルＤ７１０の番号“１”の取得パラメータデータである。当該番号“１”の取得パラメータデータが示すサイト名が「ＢＢサイト」のサービスサイトは、動画配信を行なうサイトである。したがって、サイト名が「ＢＢサイト」のサービスサイトが提供可能な複数のコンテンツデータは、動画データであり、記憶部８２０に記憶されている。
【０３６８】
具体的には、制御部８１０は、コンテンツ確認要求ＴＡに含まれる、取得パラメータデータテーブルＤ７１０の番号“１”の取得パラメータデータが示す、パラメータ１の「ジャンル」（ニュース）と、パラメータ２の「日時」（２００６年１０月２７日）と、パラメータ３の「キーワード」（「サッカー」、「Ｓリーグ」、「Ｔチーム」、「優勝」）とで特定されるコンテンツデータが記憶部８２０に記憶されているか否かを判定する。
【０３６９】
記憶部８２０に、たとえば、ジャンルが「ニュース」のコンテンツデータであり、かつ、配信可能日時が「２００６年１０月２７日」のコンテンツデータであり、かつ、「サッカー」、「Ｓリーグ」、「Ｔチーム」および「優勝」のうち、たとえば、「Ｔチーム」および「優勝」のキーワードを含むタイトルのコンテンツデータが記憶されている場合、当該コンテンツデータが、コンテンツ確認要求Ｔに含まれるパラメータにより特定される存在確認コンテンツデータとなる。
【０３７０】
存在確認コンテンツデータが、記憶部８２０に記憶されている場合、制御部８１０は、存在確認コンテンツデータありと判定する。一方、要求コンテンツデータが、記憶部８２０に記憶されていない場合、制御部８１０は、存在確認コンテンツデータなしと判定する。そして、ステップＳ３８７に進む。
【０３７１】
ステップＳ３８７では、前述したように、制御部８１０が、検索結果データを映像表示装置６００へ送信する。検索結果データは、ステップＳ３８６のコンテンツデータ検索処理により判定された存在確認コンテンツデータの存在の有無を示すデータである。検索結果データが送信されると、ステップＳ３８７の処理は終了する。
【０３７２】
ここで、送信される検索結果データは、図２１の検索結果データＤ４００であるとする。検索結果データＤ４００は、ステップＳ３８６Ａのコンテンツデータ検索処理Ａにより存在確認コンテンツデータありと判定された場合に送信されるデータである。
【０３７３】
再び、図３３を参照して、映像表示装置６００では、ステップＳ３４３Ａのコンテンツ確認処理ＴＡにおいて、制御部６１０が、検索結果データを受信し、受信した検索結果データを、記憶部６２０に記憶させる。ここで、受信した検索結果データは、検索結果データＤ４００であるとする。
【０３７４】
そして、制御部６１０は、図３４の情報データテーブルＤ６００の番号“１”に対応する、図３６の取得パラメータデータテーブルＤ７１０の番号“２”， “３”，・・・，の各々に対応する取得パラメータデータに対しても、前述した、取得パラメータデータテーブルＤ７１０の番号“１”の取得パラメータデータを含むコンテンツ確認要求ＴＡを送信するのと同様な処理を行なう。
【０３７５】
サービスサーバ８００Ａでは、コンテンツ確認要求ＴＡを受信する毎に、前述したのと同様に、ステップＳ３８１Ａ，Ｓ３８４Ａ，Ｓ３８６Ａ，Ｓ３８７の処理が行なわれる。
【０３７６】
これらの処理により、映像表示装置６００では、制御部６１０が、図３６の取得パラメータデータテーブルＤ７１０の番号“１”，“２”，・・・の各々に対応する取得パラメータデータに対応する検索結果データをサービスサーバ８００Ａから順次受信し、順次受信した複数の検索結果データが、記憶部６２０に記憶される。制御部６１０は、受信した複数の検索結果データを、情報データテーブルＤ６００の番号“１”に対応づけた検索結果データテーブルとして、記憶部６２０に記憶させる。情報データテーブルＤ６００の番号“１” に対応する複数の検索結果データから構成される検索結果データテーブルは、以下の検索結果データテーブルＤ８１０となる。
【０３７７】
図３８は、一例としての検索結果データテーブルＤ８１０を示す図である。図３８を参照して、検索結果データテーブルＤ８１０において、「情報データ番号」とは、図３４の情報データテーブルＤ６００の情報データの番号を示す。検索結果データテーブルＤ８１０は、複数の検索結果データから構成される。「番号」とは、複数の検索結果データの各々を管理するための番号である。たとえば、番号“１”の検索結果データは、図２１の検索結果データＤ４００である。検索結果データテーブルＤ８１０の各項目については、図２１で説明したのと同様なので詳細な説明は繰り返さない。
【０３７８】
そして、制御部６１０は、情報データテーブルＤ６００の番号“２”，“３”，・・・の各々に対応する、取得パラメータデータテーブルに対しても、前述した、図３６の取得パラメータデータテーブルＤ７１０に対して行った処理を、順次行なう。これにより、情報データテーブルＤ６００の番号“１”，“２”，・・・にそれぞれ対応する複数の検索結果データテーブルが記憶部６２０に記憶される。そして、ステップＳ３４４Ａに進む。
【０３７９】
ステップＳ３４４Ａでは、制御部６１０が、ステップＳ３４３Ａのコンテンツ確認処理ＴＡにより取得した、情報データテーブルＤ６００の番号“１”，“２”，・・・にそれぞれ対応する複数の検索結果データテーブルを、通信端末装置５００へ順次送信する。送信された複数の検索結果データテーブルのうちの１つは、図３８の検索結果データテーブルＤ８１０である。全ての検索結果データテーブルの送信が終了すると、ステップＳ３４４Ａの処理は終了する。
【０３８０】
通信端末装置５００では、ステップＳ３１４Ａの処理の後、ステップＳ３１６Ａに進む。
【０３８１】
ステップＳ３１６Ａでは、検索結果データ受信処理Ｍが行なわれる。検索結果データ受信処理Ｍでは、制御部５１０が、複数の検索結果データテーブルを順次受信し、受信した複数の検索結果データテーブルを、順次記憶部５２０に記憶させる。そして、ステップＳ３１７Ａに進む。
【０３８２】
ステップＳ３１７Ａでは、検索結果表示処理Ｍが行なわれる。検索結果表示処理Ｍでは、制御部５１０が、ＶＤＰ５３２を利用して、記憶部５２０に記憶されている複数の検索結果データテーブルに基づいて、以下のコンテンツ表示画像ＭＧ４００Ａを生成し、生成したコンテンツ表示画像ＭＧ４００Ａを、表示部５３０に表示させる。複数の検索結果データテーブルの１つは、たとえば、図３８の検索結果データテーブルＤ８１０である。そして、ステップＳ３１７Ａの処理は終了する。
【０３８３】
図３９は、一例としてのコンテンツ表示画像ＭＧ４００Ａを示す図である。図３９を参照して、コンテンツ表示画像ＭＧ４００Ａは、図３５のコンテンツ表示画像ＭＧ４００と比較して、情報画像ＭＧ４１０の代わりに情報画像ＭＧ４１０Ａが配置されている点と、丸、三角、四角のマークの説明が表示されている点が異なる。それ以外は、コンテンツ表示画像ＭＧ４００と同様なので詳細な説明は繰り返さない。
【０３８４】
情報画像ＭＧ４１０Ａは、情報画像ＭＧ４１０と比較して、各情報データの右横に、丸、三角、四角のマークが表示されている点が異なる。それ以外は、情報画像ＭＧ４１０と同様なので詳細な説明は繰り返さない。
【０３８５】
丸のマークは、対応する情報データに関連する動画のコンテンツが配信可能であることを示す。三角のマークは、対応する情報データに関連する情報検索結果に基づくコンテンツが配信可能であることを示す。四角のマークは、対応する情報データに関連する地図データが配信可能であることを示す。すなわち、丸、三角、四角のマークは、対応する情報データが選択された場合に、提供可能なサービスを示す。
【０３８６】
情報画像ＭＧ４１０Ａに表示される丸、三角、四角のマークは、複数の検索結果データテーブルの各々に示される検索結果に基づいて表示される。たとえば、複数の検索結果データテーブルのうちの１つが、図３８の検索結果データテーブルＤ８１０であるとする。ここで、検索結果データテーブルＤ８１０の番号“１”，“３”の検索結果が、「コンテンツデータあり」となっている。そのため、情報データ番号“１”に対応する、情報画像ＭＧ４１０Ａの示す情報データの右横に、丸および三角のマークが表示される。
【０３８７】
再び、図３３を参照して、ステップＳ３１７Ａの処理の後、ステップＳ３１８Ａに進む。
【０３８８】
ステップＳ３１８Ａでは、制御部５１０が、情報データ選択操作があるか否かを判定する。情報データ選択操作は、図３９の情報画像ＭＧ４１０Ａに表示される複数の情報データのいずれかを選択するための操作（たとえば、タッチ操作）である。ステップＳ３１８Ａにおいて、ＹＥＳならば、ステップＳ３１９Ａに進む。一方、ステップＳ３１８Ａにおいて、ＮＯならば、再度、ステップＳ３１８Ａの処理が行なわれる。ここでは、図３９の情報画像ＭＧ４１０Ａに表示される番号“１”の情報データを選択するための情報データ選択操作があったとして、ステップＳ３１９Ａに進む。
【０３８９】
ステップＳ３１９Ａでは、選択情報表示処理が行なわれる。選択情報表示処理では、制御部５１０が、ＶＤＰ５３２を利用して、情報データ選択操作により選択された情報データのみと、かつ、当該選択された情報データに基づいて提供可能なサービス名のリストを示すサービスリスト画像とを表示したコンテンツ表示画像を生成し、生成したコンテンツ表示画像を、表示部５３０に表示させる。そして、ステップＳ３１９Ａの処理は終了する。
【０３９０】
ここで、情報データ選択操作により選択された情報データは、図３９の情報画像ＭＧ４１０Ａにおいて、番号“１”の情報データであるとする。この場合、番号“１”の情報データの右横には、丸および三角のマークが表示されるので、選択された番号“１”の情報データに基づいて提供可能なサービス名は、動画配信と、情報検索となる。この場合、表示部５３０に表示されるコンテンツ表示画像は、以下のコンテンツ表示画像ＭＧ２００Ｄとなる。
【０３９１】
図４０は、一例としてのコンテンツ表示画像ＭＧ２００Ｄを示す図である。図４０を参照して、コンテンツ表示画像ＭＧ２００Ｄは、図２０のコンテンツ表示画像ＭＧ２００Ａと比較して、サービスリスト画像ＭＬＧ１００の代わりにサービスリスト画像ＭＬＧ１００Ｄが配置される点が異なる。それ以外は、コンテンツ表示画像ＭＧ２００Ａと同様なので詳細な説明は繰り返さない。
【０３９２】
サービスリスト画像ＭＬＧ１００Ｄは、情報データ選択操作により選択された、図３９の情報画像ＭＧ４１０Ａの番号“１”の情報データに基づいて提供可能なサービス名のリストを示す画像である。
【０３９３】
再び、図３３を参照して、ステップＳ３１９Ａの処理の後、ステップＳ３２４Ａに進む。
【０３９４】
ステップＳ３２４Ａでは、制御部５１０が、サービス選択操作があるか否かを判定する。サービス選択操作は、図４０のサービスリスト画像ＭＬＧ１００Ｄに表示されている１以上のサービス名のいずれかを選択するためのインターフェース操作Ｍである。ステップＳ３２４Ａにおいて、ＹＥＳならば、制御部５１０が、ＶＤＰ５３２を利用して、サービスリスト画像ＭＬＧ１００Ｄを、表示部５３０から消去して、ステップＳ３２５Ａに進む。この場合、表示部５３０には、図１９のコンテンツ表示画像ＭＧ２００が表示されることになる。
【０３９５】
一方、ステップＳ３２４Ａにおいて、ＮＯならば、再度、ステップＳ３２４Ａの処理が行なわれる。ここでは、サービスリスト画像ＭＬＧ１００Ｄに表示されている「動画配信」というサービス名を選択するサービス選択操作があったとして、ステップＳ３２５Ａに進む。
【０３９６】
ステップＳ３２５Ａでは、制御部５１０が、選択サービス情報Ｍを、映像表示装置６００へ送信する。送信される選択サービス情報Ｍは、サービス選択操作により選択されたサービス名を含む。ここで、サービス選択操作により選択されたサービス名は「動画配信」であるとする。そして、ステップＳ３２５Ａの処理は終了する。
【０３９７】
映像表示装置６００では、ステップＳ３４４Ａの処理の後、ステップＳ３５１Ａに進む。
【０３９８】
ステップＳ３５１Ａでは、制御部６１０が、選択サービス情報Ｍを受信したか否かを判定する。ステップＳ３５１Ａにおいて、ＹＥＳならば、ステップＳ３５６Ａに進む。一方、ステップＳ３５１Ａにおいて、ＮＯならば、再度、ステップＳ３５１Ａの処理が行なわれる。ここで、サービス名「動画配信」を含む選択サービス情報Ｍを受信したとして、ステップＳ３５６Ａに進む。
【０３９９】
ステップＳ３５６Ａでは、コンテンツ制御データ送信処理Ａが行なわれる。コンテンツ制御データ送信処理Ａでは、まず、制御部６１０が、図１６の操作情報設定テーブルＤ１２０において、受信した選択サービス情報Ｍに含まれるサービス名に対応づけられている操作ＩＤを特定する。ここで、受信した選択サービス情報Ｍに含まれるサービス名は、「動画配信」であるとする。この場合、特定される操作ＩＤは、“ＣＴ１”となる。そして、制御部６１０は、図１５の操作情報データテーブルＤ３００において、特定された操作ＩＤ（“ＣＴ１”）の操作情報を示した、図２２のコンテンツ制御データＤ５００を、通信端末装置５００へ送信する。コンテンツ制御データは、存在確認コンテンツデータの表示制御を行なうためのデータである。そして、ステップＳ３５６Ａの処理は終了する。
【０４００】
通信端末装置５００では、ステップＳ３２５Ａの処理の後、ステップＳ３３０に進む。
ステップＳ３３０では、制御部５１０が、コンテンツ制御データを受信したか否かを判定する。ステップＳ３３０において、ＹＥＳならば、ステップＳ３３１に進む。ステップＳ３３０において、ＮＯならば、再度、ステップＳ３３０の処理が行なわれる。ここでは、図２２のコンテンツ制御データＤ５００を受信したとして、ステップＳ３３１に進む。
【０４０１】
ステップＳ３３１では、制御部５１０が、受信したコンテンツ制御データを、記憶部５２０に記憶させる。ここでは、コンテンツ制御データＤ５００を受信したとする。したがって、記憶部５２０には、コンテンツ制御データＤ５００が記憶される。そして、ステップＳ３３８に進む。
【０４０２】
ステップＳ３３８では、制御部５１０が、コンテンツ制御処理Ｍを実行する。コンテンツ制御処理Ｍは、他の処理とは独立して行なわれる処理である。そして、コンテンツ取得処理Ａにおける通信端末装置５００の処理は終了する。
【０４０３】
映像表示装置６００では、ステップＳ３５６Ａの処理の後、ステップＳ３５８Ａに進む。
【０４０４】
ステップＳ３５８Ａでは、制御部６１０が、コンテンツ制御処理Ｔを実行する。コンテンツ制御処理Ｔは、他の処理とは独立して行なわれる処理である。そして、コンテンツ取得処理における映像表示装置６００の処理は終了する。
【０４０５】
再び、図２３を参照して、通信端末装置５００が行なうコンテンツ制御処理ＭのステップＳ４１１では、制御部５１０が、通信端末装置５００をリモコンモードに設定する。そして、ステップＳ４１２に進む。
【０４０６】
ステップＳ４１２では、前述したのと同様な処理が行なわれるので詳細な説明は繰り返さない。この処理により、コンテンツ取得要求としてのコンテンツ取得リモコン信号が、映像表示装置６００へ送信される。ここで、コンテンツ取得リモコン信号は、記憶部５２０に記憶されている、図３８の検索結果データテーブルＤ８１０の番号“１”の検索結果データに示されるコンテンツＩＤを含む。この場合、コンテンツ取得リモコン信号に含まれるコンテンツＩＤは、“Ｍ１２３４”となる。なお、コンテンツ取得リモコン信号は、コンテンツＩＤの代わりに、検索結果データテーブルＤ８１０の情報データ番号“１”と、番号“１”の検索結果データとを示す情報が含まれてもよい。
【０４０７】
映像表示装置６００が行なうコンテンツ制御処理Ｔでは、ステップＳ４４１において、前述したのと同様な処理が行なわれるので詳細な説明は繰り返さない。ここでは、コンテンツＩＤ“Ｍ１２３４”を含むコンテンツ取得リモコン信号を受信したとして、ステップＳ４４２に進む。
【０４０８】
ステップＳ４４２では、制御部６１０が、コンテンツ取得要求Ｔを、受信したコンテンツ取得リモコン信号に含まれるコンテンツＩＤを示す検索結果データ（以下、処理対象検索結果データともいう）に示されるサイト名のサービスサイトへ送信する。
【０４０９】
ここで、コンテンツ取得リモコン信号に含まれるコンテンツＩＤは、“Ｍ１２３４”である。したがって、処理対象検索結果データは、図３８の検索結果データテーブルＤ８１０の番号“１”の検索結果データである。この場合、当該番号“１”の検索結果データに示されるサイト名のサービスサイトは、サイト名が、「ＢＢサイト」のサービスサイトである。前述したように、「ＢＢサイト」のサービスサイトは、サービスサーバ８００Ａが提供するＷｅｂサイトである。したがって、コンテンツ取得要求Ｔは、サービスサーバ８００Ａへ送信される。
【０４１０】
送信されるコンテンツ取得要求Ｔには、受信したコンテンツ取得リモコン信号に含まれるコンテンツＩＤ（“Ｍ１２３４”）と、サービスサイトのサイト名（ＢＢサイト）と、サービスサイトのＵＲＬ（http://www.bb.com/）と、当該サービスサイトのＵＲＬ（http://www.bb.com/）に対応するユーザ識別情報（ｂｂｋｋ）（図１０参照）とが含まれる。
【０４１１】
サービスサーバ８００Ａでは、ステップＳ４８１において、前述したのと同様な処理が行なわれるので詳細な説明は繰り返さない。ここでは、コンテンツ取得要求Ｔを受信したとして、ステップＳ４８４に進む。
【０４１２】
ステップＳ４８４では、前述したのと同様な処理が行なわれるので詳細な説明は繰り返さない。ここでは、認証成功として、ステップＳ４８８に進む。
【０４１３】
ステップＳ４８８では、前述したのと同様にコンテンツ配信処理が行なわれる。この処理により、制御部８１０は、要求コンテンツデータを、コンテンツ取得要求Ｔを送信した映像表示装置６００へストリーミング配信する処理を開始する。
【０４１４】
映像表示装置６００が行なうコンテンツ制御処理Ｔでは、ステップＳ４４５において、前述したように、コンテンツ受信処理Ｔが実行される。コンテンツ受信処理Ｔでは、制御部６１０が、ＶＤＰ６３２を利用して、要求コンテンツデータに基づくコンテンツ画像を、表示部６３０に表示させる。
【０４１５】
通信端末装置５００が行なうコンテンツ制御処理Ｍでは、ステップＳ４１４において、前述したのと同様な処理が行なわれるので詳細な説明は繰り返さない。この処理により、表示部５３０には、図２４のコンテンツ表示画像ＭＧ２００Ｂが表示される。
【０４１６】
再び、図２３を参照して、ステップＳ４１８では、前述したように、操作判定処理Ｍが実行される。
【０４１７】
映像表示装置６００では、ステップＳ４４８において、前述したように、制御信号対応処理Ｔが実行される。
【０４１８】
操作判定処理Ｍおよび制御信号対応処理Ｔは、図２５で説明したのと同様な処理が行なわれるので詳細な説明は繰り返さない。
【０４１９】
以上説明したように、本実施の形態の変形例では、通信端末装置５００が、図３３のステップＳ３１２のコンテンツ取得処理Ｍにより、インターネット（ネットワーク７０）から複数のコンテンツとしての情報データから構成される、図３４の情報データテーブルＤ６００を取得する。そして、通信端末装置５００は、取得した情報データテーブルＤ６００を、映像表示装置６００へ送信する。
【０４２０】
映像表示装置６００は、受信した情報データテーブルＤ６００を構成する複数の情報データ（コンテンツ）の各々を解析し、情報データ毎に、対応する複数のサービスサイト（サービスサーバ８００Ａ）の各々に対し、解析結果に基づく、対応するコンテンツの存在の有無を確認する。そして、映像表示装置６００は、確認結果を、通信端末装置５００へ送信する。
【０４２１】
通信端末装置５００では、確認結果を受信し、図３９に示すように、表示部５３０に表示されている複数の情報データの各々に対し、利用可能なサービスを表示させる。
【０４２２】
したがって、多くの手間をかけることなく、複数の情報データの各々に対し、利用可能なサービスを容易に確認することができる。その結果、多くの手間をかけることなく、多種多様なコンテンツを取得することができるという効果を奏する。
【０４２３】
（機能ブロック図）
図４１は、本発明における制御部６１０の機能ブロック図である。図４１を参照して、制御部６１０は、第１通信部６１２と、第２通信部６１４と、解析部６１６とを含む。第１通信部６１２は、通信端末装置５００とデータ通信を行なう。第２通信部６１４は、ネットワーク７０（インターネット）とデータ通信を行なう。
【０４２４】
また、第１通信部６１２は、通信端末装置５００がネットワーク７０（インターネット）から取得したコンテンツである端末取得コンテンツ（たとえば、ＲＳＳデータ）を、通信端末装置５００から受信する。
【０４２５】
解析部６１６は、第１通信部６１２が受信した端末取得コンテンツを解析する。また、第２通信部６１４は、解析部６１６の解析結果に基づいて、ネットワーク７０（インターネット）から、コンテンツを取得する。
【０４２６】
なお、制御部６１０に含まれる、第１通信部６１２、第２通信部６１４および解析部６１６の全てまたは一部は、ハードウエアで構成されてもよい。
【０４２７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０４２８】
【図１】本実施の形態におけるネットワークシステムの構成を示す図である。
【図２】通信端末装置の外観を正面から示した図である。
【図３】通信端末装置の内部構成を示したブロック図である。
【図４】映像表示装置の内部構成を示したブロック図である。
【図５】サービスサーバの内部構成を示したブロック図である。
【図６】一例としてのリモコン画像を示す図である。
【図７】一例としてのサイト情報テーブルを示す図である。
【図８】一例としてのＷｅｂブラウザ画像を示す図である。
【図９】登録処理のフローチャートである。
【図１０】一例としてユーザ識別情報登録テーブルを示す図である。
【図１１】サービス利用設定処理のフローチャートである。
【図１２】一例としてのサービス利用データテーブルを示す図である。
【図１３】一例としての制御テーブルを示す図である。
【図１４】一例としての処理設定テーブルを示す図である。
【図１５】一例としての操作情報データテーブルを示す図である。
【図１６】一例としての操作情報設定テーブルを示す図である。
【図１７】コンテンツ取得処理のフローチャートである。
【図１８】一例としての情報データを示す図である。
【図１９】一例としてのコンテンツ表示画像を示す図である。
【図２０】一例としてのコンテンツ表示画像を示す図である。
【図２１】一例としての検索結果データを示す図である。
【図２２】一例としてのコンテンツ制御データを示す図である。
【図２３】コンテンツ制御処理Ｍ、コンテンツ制御処理Ｔおよびサービスサーバで行なわれる処理のフローチャートである。
【図２４】一例としてのコンテンツ表示画像を示す図である。
【図２５】操作判定処理Ｍおよび制御信号対応処理Ｔのフローチャートである。
【図２６】一例としての情報データを示す図である。
【図２７】一例としてのコンテンツ表示画像を示す図である。
【図２８】一例としてのコンテンツ表示画像を示す図である。
【図２９】一例としての検索結果データを示す図である。
【図３０】一例としてのコンテンツ制御データを示す図である。
【図３１】一例としてのコンテンツ画像を示す図である。
【図３２】一例としてのコンテンツ表示画像を示す図である。
【図３３】コンテンツ取得処理Ａのフローチャートである。
【図３４】一例としての情報データテーブルを示す図である。
【図３５】一例としてのコンテンツ表示画像を示す図である。
【図３６】一例としての取得パラメータデータテーブルを示す図である。
【図３７】一例としての取得パラメータデータテーブルを示す図である。
【図３８】一例としての検索結果データテーブルを示す図である。
【図３９】一例としてのコンテンツ表示画像を示す図である。
【図４０】一例としてのコンテンツ表示画像を示す図である。
【図４１】本発明における制御部の機能ブロック図である。
【符号の説明】
【０４２９】
５０  通信部、７０  ネットワーク、１８０，１８０Ａ，１８０Ｂ  プログラム、３００  リモコン、５００  通信端末装置、５１０，６１０，８１０  制御部、５２０，６２０，８２０  記憶部、５３０，６３０  表示部、５４０  入力部、５５５，５５５Ａ  記録媒体、６００  映像表示装置、８００Ａ  サービスサーバ、８００Ｓ  検索サーバ、８００Ｗ  Ｗｅｂサーバ、１０００  ネットワークシステム。
【図１】
2008177939.tif 000003
【図２】
2008177939.tif 000004
【図３】
2008177939.tif 000005
【図４】
2008177939.tif 000006
【図５】
2008177939.tif 000007
【図６】
2008177939.tif 000008
【図７】
2008177939.tif 000009
【図８】
2008177939.tif 000010
【図９】
2008177939.tif 000011
【図１０】
2008177939.tif 000012
【図１１】
2008177939.tif 000013
【図１２】
2008177939.tif 000014
【図１３】
2008177939.tif 000015
【図１４】
2008177939.tif 000016
【図１５】
2008177939.tif 000017
【図１６】
2008177939.tif 000018
【図１７】
2008177939.tif 000019
【図１８】
2008177939.tif 000020
【図１９】
2008177939.tif 000021
【図２０】
2008177939.tif 000022
【図２１】
2008177939.tif 000023
【図２２】
2008177939.tif 000024
【図２３】
2008177939.tif 000025
【図２４】
2008177939.tif 000026
【図２５】
2008177939.tif 000027
【図２６】
2008177939.tif 000028
【図２７】
2008177939.tif 000029
【図２８】
2008177939.tif 000030
【図２９】
2008177939.tif 000031
【図３０】
2008177939.tif 000032
【図３１】
2008177939.tif 000033
【図３２】
2008177939.tif 000034
【図３３】
2008177939.tif 000035
【図３４】
2008177939.tif 000036
【図３５】
2008177939.tif 000037
【図３６】
2008177939.tif 000038
【図３７】
2008177939.tif 000039
【図３８】
2008177939.tif 000040
【図３９】
2008177939.tif 000041
【図４０】
2008177939.tif 000042
【図４１】
2008177939.tif 000043